(57)【特許請求の範囲】
【請求項１】
複数のトラックと、
該複数トラックの少なくとも一部の複数のトラックの各々上にあらかじめ定められた情報記録領域と、
その情報記録領域内にあらかじめ設けられた複数の情報記録用格子点と、
該複数の情報記録用格子点の内の少なくとも一部の複数の情報記録用格子点の一つに対応してそれぞれ記録された複数の情報マークとを有し、
奇数番目のトラック上に位置する複数の情報記録用格子点のトラック延在方向の位置が、偶数番目のトラックに位置する複数の情報記録用格子点のトラック延在方向の位置の間に位置するように、該複数のトラック上の複数の情報記録用格子点の位置がトラック毎に定められている光学的情報記録媒体に記録された情報を一つの光スポットで光学的に再生する方法であって、
情報を読み出すべきいずれか一つのトラック上のあらかじめ定められた情報記録領域を前記一つの光スポットでもって走査するステップと、
該走査により上記光スポットが該情報記録領域を走査しているときに該光学的情報記録媒体から供給される再生光を検出して再生信号を生成するステップと、
生成された再生信号から、その情報記録領域内に位置する複数の情報記録用格子点とその情報記録領域内に位置する該複数の情報記録用格子点の中間に位置する複数の中間点との各々に対応する再生信号を抽出するステップと、
その情報記録領域内に位置する該複数の情報記録用格子点の各々に対して抽出された再生信号から、その一つのトラックに隣接する一対のトラックにより生成されたクロストーク成分を、その一つのトラック上の各情報記録用格子点とその直前の先行する情報記録用格子点との間に位置する第１の中間点に対して抽出された第１の再生信号と予め定めた第１の係数との積と、その各情報記録用格子点とその直後の後続する情報記録用格子点との間に位置する第２の中間点に対して抽出された第２の再生信号と予め定めた第２の係数との積とを減算して除去するステップと、
上記各情報記録用格子点に対して抽出された再生信号から、その各情報記録用格子点に記録された情報を再生するステップとからなる光学的情報再生方法。
【請求項２】
前記複数のトラック内の少なくとも一つのトラック上の学習用領域内の特定の情報記録用格子点に学習用情報マークが記録されており、
上記情報記録領域の光スポットの走査の前に、前記学習用領域を前記光スポットで走査し、
前記光スポットに対して供給する再生光を検出して再生信号を生成し、
前記学習領域を前記光スポットが走査して生成された前記再生信号から、前記特定の情報記録用格子点と前記特定の情報記録用格子点の直前の情報記録用格子点との間に位置する中間点に対する第３の再生信号と、前記特定の情報記録用格子点に対する第４の再生信号と、前記特定の情報記録用格子点と前記特定の情報記録用格子点の直後の情報記録用格子点との間に位置する中間点に対する第５の再生信号を抽出し、
抽出された前記第３の再生信号、前記第４の再生信号、前記第５の再生信号から前記第１の係数、前記第２の係数を決定するステップをさらに有することを特徴とする請求項１記載の光学的情報再生方法。
【請求項３】
上記一つのトラック上の上記各情報記録用格子点に対して抽出され、上記クロストーク成分が除去された後の再生信号に含まれる符号間干渉成分を、上記各情報記録用格子点の近傍に位置するその一つのトラック上の複数の情報記録用格子点に対して抽出された複数の再生信号を用いて除去するステップをさらに有し、
上記記録された情報を再生するステップは、上記各情報記録用格子点に対して抽出され、上記クロストーク成分と上記符号間干渉成分が除去された後の再生信号から、上記各情報記録用格子点に記録された情報を再生するステップを有する請求項１記載の光学的情報再生方法。
【請求項４】
複数のトラックと、
該複数トラックの少なくとも一部の複数のトラックの各々上にあらかじめ定められた情報記録領域と、
その情報記録領域内にあらかじめ設けられた複数の情報記録用格子点と、
該複数の情報記録用格子点の内の少なくとも一部の複数の情報記録用格子点の一つに対応してそれぞれ記録された複数の情報マークとを有する光学的情報記録媒体に記録された情報を一つの光スポットで光学的に再生する方法であって、
情報を読み出すべきいずれか一つのトラック上のあらかじめ定められた情報記録領域を前記一つの光スポットでもって走査するステップと、
該走査により光スポットが情報記録領域を走査しているときに光学的情報記録媒体から供給される再生光を検出して再生信号を生成するステップと、
生成された再生信号から、情報記録領域内に位置する複数の情報記録用格子点と情報記録領域内に位置する複数の情報記録用格子点の中間に位置する複数の中間点との各々に対応する再生信号を抽出するステップと、
その一つのトラックに隣接する一対のトラックから情報記録領域内に位置する複数の情報記録用格子点の各々に対して抽出された再生信号内に生成されたクロストーク成分を、その一つのトラック上の各情報記録用格子点とその直前の先行する情報記録用格子点との間に位置する第１の中間点に対して抽出された第１の再生信号と予め定めた第１の係数との積と、その各情報記録用格子点とその直後の後続する情報記録用格子点との間に位置する第２の中間点に対して抽出された第２の再生信号と予め定めた第２の係数との積とを減算して除去するステップと、
各情報記録用格子点に対して抽出された再生信号からその各情報記録用格子点に記録された情報を再生するステップとからなる光学的情報再生方法。
【請求項５】
複数のトラックと、
該複数トラックの少なくとも一部の複数のトラックの各々上にあらかじめ定められた情報記録領域と、
その情報記録領域内にあらかじめ設けられた複数の情報記録用格子点と、
該複数の情報記録用格子点の内の少なくとも一部の複数の情報記録用格子点の一つに対応してそれぞれ記録された複数の情報マークとを有し、
奇数番目のトラック上に位置する複数の情報記録用格子点のトラック延在方向の位置が、偶数番目のトラックに位置する複数の情報記録用格子点のトラック延在方向の位置の間に位置するように、該複数のトラック上の複数の情報記録用格子点の位置がトラック毎に定められている光学的情報記録媒体に記録された情報を一つの光スポットで光学的に再生する装置であって、
情報を読み出すべきいずれか一つのトラック上の情報記録領域に前記一つの光スポットを照射し、その一つの光スポットに対して光学的情報記録媒体により供給される再生光を検出して再生信号を生成する光ヘッドと、
上記一つのトラックを光ヘッドが走査するように、該光ヘッドを光学的情報記録媒体に対して相対的に駆動する駆動装置と、
上記生成された再生信号から、情報記録領域内に位置する複数の情報記録用格子点と情報記録領域内の複数の情報記録用格子点の中間に位置する複数の中間点との各々に対する再生信号を抽出する信号抽出回路と、
情報記録領域内に位置する情報記録用格子点の各々に対して抽出された再生信号内にその一つのトラックに隣接する一対のトラックによって生成されたクロストーク成分を、各情報記録用格子点とその直前の先行する情報記録用格子点との間の第１の中間点に対して抽出された第１の再生信号と予め定めた第１の係数との積と、各情報記録用格子点とその直後の後続する情報記録用格子点との間の第２の中間点に対して抽出された第２の再生信号と予め定めた第２の係数との積とを減算して除去する第１の信号処理回路と、
各情報記録用格子点に対して抽出された再生信号から各情報記録用格子点に記録された情報を再生する情報再生回路とからなる光学的情報再生装置。
【請求項６】
複数のトラックと、
該複数トラックの少なくとも一部の複数のトラックの各々上にあらかじめ定められた情報記録領域と、
その情報記録領域内にあらかじめ設けられた複数の情報記録用格子点と、
該複数の情報記録用格子点の内の少なくとも一部の複数の情報記録用格子点の一つに対応してそれぞれ記録された複数の情報マークとを有する光学的情報記録媒体に記録された情報を一つの光スポットで光学的に再生する装置であって、
情報を読み出すべきいずれか一つのトラック上のあらかじめ定められた情報記録領域に前記一つの光スポットを照射し、その一つの光スポットに対して光学的情報記録媒体により供給される再生光を検出して再生信号を生成する光ヘッドと、
上記一つのトラックを光ヘッドが走査するように、該光ヘッドを光学的情報記録媒体に対して相対的に駆動する駆動装置と、
光ヘッドが上記一つのトラック上の情報記録領域を走査する時に光ヘッドにより生成された再生信号から、情報記録領域内に位置する複数の情報記録用格子点と情報記録領域内の複数の情報記録用格子点の中間に位置する複数の中間点との各々に対する再生信号を抽出する信号抽出回路と、
情報記録領域内に位置する情報記録用格子点の各々に対して抽出された再生信号内にその一つのトラックに隣接する一対のトラックによって生成されたクロストーク成分を、各情報記録用格子点とその直前の先行する情報記録用格子点との間の第１の中間点に対して抽出された第１の再生信号と予め定めた第１の係数との積と、各情報記録用格子点とその直後の後続する情報記録用格子点との間の第２の中間点に対して抽出された第２の再生信号と予め定めた第２の係数との積とを減算して除去する第１の信号処理回路と、
各情報記録用格子点に対して抽出された再生信号から各情報記録用格子点に記録された情報を再生する情報再生回路とからなる光学的情報再生装置。
【発明の詳細な説明】
【０００１】
【発明の属する技術の分野】
本発明は、レーザ光を用いて光学的記録媒体に情報を記録あるいは再生する光学的情報の記録再生方法、この方法を実施する装置およびこれに用いる媒体に関する。
【０００２】
【従来の技術】
一般に、レーザ光を用いて情報トラック上に情報マークを記録し、この情報マークの有無に応じた光学的な変化を検出して情報を再生する光情報記録媒体の記録密度を向上させるためには、情報トラックの間隔（トラックピッチ）を狭くし、かつ光スポット走査方向の情報マークの配列間隔（マークピッチ）を狭くする必要がある。しかし、トラックピッチ及びマークピッチが小さくなると、光スポットが１つの情報マークを照射したときに周囲の他の情報マークの一部も同時に照射するため、再生すべき情報マークの信号に周囲の情報マークの信号が２次元的に漏れ込むという問題が起こる。この漏れ込みは、ノイズ成分として干渉し、再生の精度を低下させる。従って、使用可能なトラックピッチ及びマークピッチは、光スポットの径によって制限されることになる。
【０００３】
このような２次元的な情報の漏れ込みにより生じた漏れ込み成分を２次元等化処理を行ってキャンセルすることにより、トラックピッチとマークピッチを小さくする技術が、特開平２−２５７４７４号公報に開示されている。この従来技術では、情報は記録媒体上に予め定められた格子点上に記録される。光スポットのトラッキング方式には、ディスクリートブロックサーボフォーマット(Discrete Block servo Format:以下、ＤＢＦと略す）を用いている。従来、ＤＢＦはそのトラッキング信号検出の容易性、及び記録再生データのクロック検出の安定性において特徴があり、ディスク上に書き込まれたクロックピットを用いて全てのタイミングを検出できるので、２次元的な格子点上に精度よくマークを記録することができる。情報再生時には、トラックｉ−１、トラックｉ及びトラックｉ＋１の隣接する３本のトラック上の格子点からの再生信号に基づき、信号処理を行い、目的トラックｉの再生信号に対して隣接するトラックからの情報の漏れ込み（クロストーク）と目的トラックｉ上からの漏れ込み（符号間干渉）を低減する。
【０００４】
この従来技術における信号処理では、まず１つの光ビームでトラックｉ−１、トラックｉを順次再生して、その再生信号を対応する３つの各メモリに格納し、次に光ビームでトラックｉ＋１を再生しながら、トラックｉ−１，ｉ，ｉ＋１上の符号間干渉をそれぞれのトラックに対応する３つのトランスバーサルフィルタにより低減し、その後でトラックｉ−１，ｉ，ｉ＋１の各再生信号を加算器により加算することにより、トラックｉの再生信号から２次元的な漏れ込みを低減している。
【０００５】
特開平５−２０５２８０号公報に記載の技術では、記録媒体上に複数のクロストーク検出領域を設け、クロストーク検出領域内の各トラック上にクロストーク検出用ピットを互いに干渉しないように配置しておき、情報再生の前に、情報再生すべきトラック上のクロストーク検出用ピットと隣接するトラック上のクロストーク検出用ピットを３つの光スポットを用いて同時に再生し、得られた再生信号に基づき隣接するトラックからのクロストーク量を学習する。情報再生すべきマークを読み出すときにも、この情報再生すべきトラックと、それに隣接する１対のトラックを上記３つの光スポットで照射し、情報再生すべきトラックに対する再生信号に含まれた隣接する一対のトラックからのクロストークを、隣接する一対のトラックに対する再生信号と上記学習したクロストーク量とを用いて除去する。
【０００６】
高い記録密度を達成するための他の技術がＡＮＳＩ文書に提案されている。そこでは、偶数のトラック番号を有するトラック上の情報記録位置が、奇数のトラック番号のトラック上の情報記録位置のちょうど中間に位置するように、二つのトラックごとに、情報記録位置が変更される。
【０００７】
【発明が解決しようとする課題】
隣接するトラックからのクロストークを信号処理により軽減しようとする従来の技術では、装置が複雑になるという問題を有している。たとえば、上記特開平２−２５７４７４号公報に記載されている従来技術では、１ビーム光学系を使用すればよいので、光学系は簡単であるが、クロストークを除去するために３つのトラックの再生信号の強度を保持するためのメモリと３つのトランスバーサルフィルタが必要となり、装置のコストが増大する。また、上記特開平５−２０５２８０号公報に記載されている従来技術によれば、隣接するトラックからのクロストークを低減するためには、３つの光スポットを用いる必要があり、光学系が非常に複雑になる。また、上記クロストーク検出用ピットに同期したクロックが無いのでクロストーク検出用ピットの前後の再生信号検出点を把握することができず、それ故に目的トラック上の符号間干渉量を検出することができない。
【０００８】
そこで、本発明の目的は、再生時には１ビーム光学系を用いてトラックを走査し、この再生信号を簡単な装置で実行できる信号処理により、隣接するトラックからのクロストーク成分を低減できる光学的情報再生方法およびそのための装置および記録媒体を提供することである。
【０００９】
本発明のより具体的な目的は、このクロストーク成分を低減された再生信号からさらに符号間干渉を成分削減できる光学的情報再生方法およびそのための装置および記録媒体を提供することである。
【００１０】
【課題を解決するための手段】
再生信号を簡単な回路で実行できる信号処理により、隣接するトラックからのクロストークを低減するという上記目的を達成するために、本発明で使用される光記録媒体上の複数のトラック上には、奇数番目のトラック上の情報記録用格子点のトラック方向の位置が、偶数番目のトラック上の情報記録用格子点の中間位置に一致するように、トラック毎に情報記録用格子点の位置が定められる。
【００１１】
情報の読み出しにあたっては、いずれか一つのトラック一つの光スポットでもって走査する。走査された複数の情報記録用格子点の一つに対応して生成された再生信号から、その一つのトラックの隣接する一対のトラックからその一つのトラック上のその情報記録用格子点に対するクロストーク成分を、その一つのトラック上のその情報記録用格子点の直前および直後に位置する、一対の中間点に対応して生成された一対の信号に基づいて除去し、この除去の結果得られる再生信号から、その情報記録用格子点に記録された情報を検出する。
【００１２】
より望ましくは、この除去の後の信号に含まれる符号間干渉成分を、その情報記録用格子点の前及び後に位置する上記一つのトラック上の複数の近傍の情報記録用格子点に対する再生信号を使用して除去する。
【００１３】
さらに、本発明のより望ましい実施の形態では、以上の発明を多値レベルを表す情報マークを再生する場合にも適用する。
【００１４】
【発明の実施の形態】
以下、本発明に係る光学的情報記録再生方法及び装置並びにこれに用いる光学的情報記録媒体を、図面に記載したいくつかの実施の形態を参照してさらに詳細に説明する。なお、以下においては、同じ参照番号は同じものもしくは類似のものを表すものとする。また、第２の実施の形態以降については、第１の実施の形態との相違点を主に説明する。
【００１５】
＜発明の実施の形態１＞
（１）装置の概要
図１は、本発明に係る光学的情報記録再生装置（以下、光ディスク装置と称する）の概略構成図である。
【００１６】
この光ディスク装置は、図示しない駆動装置に搭載された、光学的情報記録媒体（以下、光記録媒体と称する）１００と、情報を記録するあるいは記録された情報を再生するときに、一つの光スポット１０１を光記録媒体１００上に照射する光ヘッド１０２と、光記録媒体１００の回転に同期した信号を発生する同期信号発生器１０５と、同期信号発生器１０５が発生する同期信号に基づき光スポット１００のトラッキングを実行する位置決め回路１１０と、情報記録時には記録すべきユーザデータを変調し、情報再生時には再生信号１０４を２値化し、復調することにより記録したデータを出力するデータ制御回路１１６と、データ制御回路１１６から出力された変調信号に基づき光スポットの強度を変調して光記録媒体１００上に変調されたデータを記録するレーザ駆動回路１１９と、光スポット１０１がトラックを走査することで得られる再生信号をアナログ／ディジタル変換（以下、Ａ／Ｄ変換と称する）して再生信号に含まれるオフセット成分を削減する前処理回路１１２と、前処理回路１１２の出力信号に基づき２次元的な漏れ込みを低減する２次元等化回路１１４と、光ディスク装置に光記録媒体を装着した状態で２次元等化回路１１４が用いる最適な等化係数を求めるための等化係数学習回路１２１とから構成される。
【００１７】
２次元等化回路１１４は、光記録媒体１００の一つのトラックから情報が再生されているときに、一つの光スポット１０１に対する、そのトラック上の、情報マークが記録されるべき位置からの再生光に含まれる、隣接トラックからのクロストークを、この光スポットに対する、その再生位置の近傍の、情報マークが記録されていない位置に対する再生光を使用して除去するところに特徴がある。さらに、２次元等化回路１１４は、このクロストークを除去した後の信号に残る、このトラック内の異なる情報マークからの符号間干渉も除去する。このことを実現するために、光記録媒体１００には、情報マークが図２に示すように記録される。
【００１８】
図２は、光記録媒体１００に含まれた複数のセクタの各々に含まれるいろいろの領域を示す。各データ記録領域１４には、ユーザデータが１のときに情報マーク１５７が記録される。情報マーク１５７が記録可能な位置は、光記録媒体１００の回転時に、同じ時間間隔で走査される複数の格子点の一つである。本実施の形態では、同一のトラックでは、一つ置きの格子点（本実施の形態では、第１種格子点または情報記録用格子点と呼ぶ）に情報マーク１５７が記録可能になっている。そのトラック上のそれ以外の格子点（本実施の形態では、第２種格子点または中間点と呼ぶ）には情報マーク１５７が記録されない。しかも、偶数番のトラック上の情報マークを記憶可能な第１種格子点のトラック方向位置が、奇数番トラック上の、情報マークが記録可能な第１種の格子点のトラック方向位置に対して、１格子点だけずれるように、第１種格子点が定められる。図２において、一番上のトラックの上に付された複数の短い垂直線は情報記録用格子点および中間点を示す。一方、その一番上のトラック以外のトラックに付された複数の短い垂直線は情報記録用格子点を示し、中間点、たとえば、１５６にはこのような垂直線は付されていない。
【００１９】
図２に示されたように情報記録用格子点をトラックごとにずらせること自体は、高密度記録のために公知であるが、本実施の形態は、この配置を一つの光ビームで再生された信号からクロストークを効果的に除去するために使用される。
【００２０】
図２において、等化係数学習領域１３には、等化係数学習回路１２１が、上記２次元等化回路１１４が行う等化処理で使用する等化係数を算出するための学習マーク１５４、１５５が記録される。学習マーク１５４、１５５は、それぞれ偶数番目と奇数番目のトラックに記録される学習マークで、相互の間で干渉が生じないように、隔てられている。なお、サーボ領域１１は、上記一つの光スポット１０１でもって精度の高いトラッキングを行うために使用され、クロックマーク１５３とウォブルマーク１５１、１５２が記録されている。オフセット量検出領域１２は、トラッキングずれによる、等化係数の算出への悪影響を除去すするために使用される。
【００２１】
（２）本実施の形態での等化処理の原理
本実施の形態の詳細な説明の前に、本実施の形態での等化処理の原理を説明する。
【００２２】
図３においてｉ番目のトラック上のｊ番目の格子点を（ｉ，ｊ）とすると、この（ｉ，ｊ）の格子点の周りには（ｉ−１，ｊ−１）、（ｉ−１，ｊ）、（ｉ−１，ｊ＋１）、（ｉ，ｊ−１）、（ｉ，ｊ＋１）、（ｉ＋１，ｊ−１）、（ｉ＋１，ｊ）、（ｉ＋１，ｊ＋１）の８箇所の隣接格子点がある。光スポット１０１が（ｉ，ｊ）の格子点を照射するとき、これら隣接格子点上に情報マークがある場合にはその情報マークも一部照射されるために、隣接トラック上の格子点からの情報の漏れ込みであるクロストークが生じる。  例えば、格子点（ｉ，ｊ）上に孤立状態のマークがあれば信号Ｓ（ｉ，ｊ）が得られる。一方、格子点（ｉ−１，ｊ−１）上に孤立状態のマークがあればこのマークから信号ａ・Ｓ（ｉ−１，ｊ−１）が格子点（ｉ，ｊ）に漏れ込んでしまう。同様にして、格子点（ｉ−１，ｊ）上に孤立状態のマークがあればこのマークから信号ｂ・Ｓ（ｉ−１，ｊ）が（ｉ，ｊ）に漏れ込む。格子点（ｉ−１，ｊ＋１）上に孤立状態のマークがあればこのマークから信号ｃ・Ｓ（ｉ−１，ｊ）が格子点（ｉ，ｊ）に漏れ込む。格子点（ｉ，ｊ−１）上に孤立状態のマークがあればこのマークから信号ｄ・Ｓ（ｉ，ｊ−１）が格子点（ｉ，ｊ）に漏れ込む。格子点（ｉ，ｊ＋１）上に孤立状態のマークがあればこのマークから信号ｅ・Ｓ（ｉ，ｊ＋１）が格子点（ｉ，ｊ）に漏れ込む。格子点（ｉ＋１，ｊ−１）上に孤立状態のマークがあればこのマークから信号ｆ・Ｓ（ｉ＋１，ｊ−１）が格子点（ｉ，ｊ）に漏れ込む。格子点（ｉ＋１，ｊ）上に孤立状態のマークがあればこのマークから信号ｇ・Ｓ（ｉ＋１，ｊ）が格子点（ｉ，ｊ）に漏れ込む。格子点（ｉ＋１，ｊ＋１）上に孤立状態のマークがあればこのマークから信号ｈ・Ｓ（ｉ＋１，ｊ＋１）が格子点（ｉ，ｊ）に漏れ込む。ここで、ａ〜ｈは図３に示すように、隣接格子点からの情報の漏れ込み量を表し、値は１よりも小さい。尚、ａ〜ｈにおける矢印はどこから情報の漏れ込みが入って来るかを示すだけで、大きさを示すものではない。このとき、図２に示したような格子点（ｉ，ｊ）で得られる、隣接情報マークからの干渉を受けた再生信号Ｓ’（ｉ，ｊ）を考えると、図３に示した情報の漏れ込み量を用いて、次のように表すことができる。
【００２３】
0003698790.tif 000002
ここに、Ｓ（ｉ，ｊ）は格子点（ｉ，ｊ）に情報マークが単独で存在し、隣接情報マークが存在しない場合の再生信号レベルである（以下、孤立信号と呼ぶ）。簡単のために、格子点（ｉ，ｊ）に情報マークが存在する場合にはＳ（ｉ，ｊ）は、例えば１となり、格子点（ｉ，ｊ）に情報マークが存在しない場合にはＳ（ｉ，ｊ）は、例えば０となるとする。（１）式中のａ・Ｓ（ｉ−１，ｊ−１）＋ｂ・Ｓ（ｉ−１，ｊ）＋ｃ・Ｓ（ｉ−１，ｊ＋１）＋ｆ・Ｓ（ｉ＋１，ｊ−１）＋ｇ・Ｓ（ｉ＋１，ｊ）＋ｈ・Ｓ（ｉ＋１，ｊ＋１）が隣接格子点からのクロストークを表す。
【００２４】
一方、（ｉ，ｊ−１）の格子点位置で得られる隣接情報マークからの干渉を受けた再生信号Ｓ’（ｉ，ｊ−１）、及び（ｉ，ｊ＋１）の格子点位置で得られる隣接情報マークからの干渉を受けた再生信号Ｓ’（ｉ，ｊ＋１）を考えると、次のように表すことができる。
【００２５】
0003698790.tif 000003
もし、Ｓ（ｉ−１，ｊ−２）＝Ｓ（ｉ−１，ｊ）＝Ｓ（ｉ−１，ｊ＋２）＝Ｓ（ｉ，ｊ−１）＝Ｓ（ｉ，ｊ＋１）＝Ｓ（ｉ＋１，ｊ−２）＝Ｓ（ｉ＋１，ｊ）＝Ｓ（ｉ＋１，ｊ＋２）＝０が常に成り立つならば、（２）式と（３）式を用いて（１）式に含まれる隣接トラックからのクロストークを削除できる。すなわち、マークが記録できる格子点を図２に示したように面心長方格子状に配置すれば、この条件が満たされるので、隣接トラックの再生信号を用いなくても隣接トラックからのクロストークを低減することができる。これを以下に詳しく説明する。
【００２６】
マークが記録できる格子点が面心長方格子状に配置されていれば、上記（１）式〜（３）式はそれぞれ（１−１）式〜（３−１）式のように表される。
0003698790.tif 000004
（１−１）式中のａ・Ｓ（ｉ−１，ｊ−１）＋ｃ・Ｓ（ｉ−１，ｊ＋１）＋ｆ・Ｓ（ｉ＋１，ｊ−１）＋ｈ・Ｓ（ｉ＋１，ｊ＋１）が、マークが記録できる格子点が面心長方格子状に配置されている場合における隣接格子点からのクロストークを表す。また、情報の漏れ込み量ａ、ｂ、ｃ、、、ｈにはａ＝ｂ・ｄ、ｃ＝ｂ・ｅ、ｆ＝ｇ・ｄ、ｈ＝ｇ・ｅの関係がほぼい成り立つので、（２−１）式と（３−１）式はそれぞれ（２−２）式と（３−２）式のように表される。
0003698790.tif 000005
（２−２）式にｄを掛け、また（３−２）式にｅを掛ければ（１−１）式で問題となったクロストーク成分、ａ・Ｓ（ｉ−１，ｊ−１）、ｃ・Ｓ（ｉ−１，ｊ＋１）、ｆ・Ｓ（ｉ＋１，ｊ−１）、ｈ・Ｓ（ｉ＋１，ｊ＋１）が判明する。従って、以下に示したように（１−１）式−ｄ・（２−２）式）−ｅ・（３−２）式）なる演算を行えば隣接トラックからのクロストークを低減することができる。
【００２７】
0003698790.tif 000006
ここで、Ａ０＝  １／（１−２ｄ・ｅ）
Ａ１＝−ｄ／（１−２ｄ・ｅ）
Ａ２＝−ｅ／（１−２ｄ・ｅ）である。
【００２８】
この(４)式の計算の結果は、次のように表すことができる。
【００２９】
0003698790.tif 000007
ここで、ｓｑｕａｒｅ（ｄ）等は、ｄの２乗を表す。
【００３０】
（５）式に示したように、この式は目的トラックｉだけが関与する式となっているので、（４）式の計算を行うことにより隣接するトラックｉ−１およびｉ＋１からのクロストークを完全に削除できることが分かる。しかし、このままでは目的とする格子点（ｉ，ｊ）に対し格子点（ｉ，ｊ−２）及び格子点（ｉ，ｊ＋２）からの符号間干渉が問題となる。例えば、格子間隔ＴとトラックピッチＴｐがスポット径の約５０％の場合、ｂ＝ｄ＝ｅ＝ｇ＝０．２で、ａ＝ｃ＝ｆ＝ｈ＝０．０４程度であり、符号間干渉は最大０．０９程度となる。
【００３１】
そこで、符号間干渉を低減するために、例えば、５タップのトランスバーサルフィルタを用いる場合には、次の計算を行う。
【００３２】
0003698790.tif 000008
ここで、Ｂ＝  １／（１−３ｓｑｕａｒｅ（ｄ・ｅ／（１−２ｄ・ｅ）））
Ｃ０＝Ｂ・（１−ｓｑｕａｒｅ（ｄ・ｅ／（１−２ｄ・ｅ）））
Ｃ１＝−Ｂ・ｓｑｕａｒｅ（ｄ）／（１−２ｄ・ｅ）
Ｃ２＝−Ｂ・ｓｑｕａｒｅ（ｅ）／（１−２ｄ・ｅ）
Ｃ３＝Ｂ・ｓｑｕａｒｅ（ｓｑｕａｒｅ（ｄ）／（１−２ｄ・ｅ））
Ｃ４＝Ｂ・ｓｑｕａｒｅ（ｓｑｕａｒｅ（ｅ）／（１−２ｄ・ｅ））
である。
【００３３】
この計算の結果は、次のように表すことができる。
【００３４】
0003698790.tif 000009
ここで、Ｄ１＝Ｂ・ｃｕｂｅ（Ｃ１）、Ｄ２＝Ｂ・ｃｕｂｅ（Ｃ２）である。
ｃｕｂｅ（Ｃ１）等は、Ｃ１の３乗を表す。例えば、格子間隔ＴとトラックピッチＴｐがスポット径の約５０％の場合、ｂ＝ｄ＝ｅ＝ｇ＝０．２で、ａ＝ｃ＝ｆ＝ｈ＝０．０４程度であり、符号間干渉は最大０．０００２程度となる。
【００３５】
尚、タップ数が異なるトランスバーサルフィルタを用いる場合には、タップ数に合わせて同様の計算を行えば良い。例えば、(６)式に対応する式は、３タップのトランスバーサルフィルタの場合は(６ａ)式、７タップのトランスバーサルフィルタの場合は(６ｂ)式のようになる。
【００３６】
0003698790.tif 000010
ここで、Ｆ＝１／（１−２ｓｑｕａｒｅ（ｄ・ｅ／（１−２ｄ・ｅ）））、
Ｇ１＝−Ｆ・（ｓｑｕａｒｅ（ｄ）／（１−２ｄ・ｅ））、
Ｇ２＝−Ｆ・（ｓｑｕａｒｅ（ｅ）／（１−２ｄ・ｅ））である。
【００３７】
0003698790.tif 000011
ここで、Ｙ＝１／（１−４Ｃ１・Ｃ２＋２ｓｑｕａｒｅ（Ｃ１）・ｓｑｕａｒｅ（Ｃ２））、
Ｚ０＝Ｙ・（１−２Ｃ１・Ｃ２）、
Ｚ１＝−Ｙ・（Ｃ１・（１−Ｃ１・Ｃ２））、
Ｚ２＝−Ｙ・（Ｃ２・（１−Ｃ１・Ｃ２））、
Ｚ３＝Ｙ・ｓｑｕａｒｅ（Ｃ１）、
Ｚ４＝Ｙ・ｓｑｕａｒｅ（Ｃ２）、
Ｚ５＝−Ｙ・ｃｕｂｅ（Ｃ１）、
Ｚ６＝−Ｙ・ｃｕｂｅ（Ｃ２）
である。
【００３８】
図３に示した漏れ込み量ａ〜ｈは、記録時のスポット形状、記録パワー、記録クロックタイミング、フォーカス、トラッキングの変動により記録マーク形状及び位置が変動したり、再生時の光スポット形状、トラッキング、フォーカス、サンプリングクロックタイミングの変動により変化する。従って、本実施の形態ではこの漏れ込み量は実際の光学的情報記録再生装置に光学的情報記録媒体を装着した状態で測定する。但し、変動が少ない場合や無視できる程度の場合には、例えば、光学的情報記録装置の出荷時に予め実験的に測定して求めておいた等化係数を用いるようにしても良い。
【００３９】
実際の光学的情報記録再生装置に光学的情報記録媒体を装着した状態で測定するには、所定のマーク群、すなわちマーク列パターンを光学的記録媒体上の所定の位置に予め記録しておく。情報再生前にこのマーク列パターンを光スポットで再生し、再生信号を基に漏れ込み量を学習する。上述したように、ａ＝ｂ・ｄ、ｃ＝ｂ・ｅ、ｆ＝ｇ・ｄ、ｈ＝ｇ・ｅが略成り立つので、（４）式と（６）式の計算を行うことにより２次元的な漏れ込みを低減することができ、このとき、（４）式と（６）式を見れば明らかなように、各再生信号に掛ける等化係数は、ｄとｅのみの関数となる。従って、漏れ込み量としてはｄとｅを学習すれば十分であり、この学習値を基に上記等化係数を算出すればよい。尚、(６ａ)式および(６ｂ)式における等化係数も、漏れ込み量ｄとｅの関数であるから同様に行えることは勿論である。
【００４０】
以下、漏れ込み量ｄとｅを学習する方法について説明する。
【００４１】
まず、図２に示した等化係数学習領域の一例を用い、学習マークの記録方法について述べる。等化係数を学習するための学習マークは光スポット走査方向へ互いに干渉しない距離で配置する。トラックｉを偶数トラックとして具体的に説明すると、図２に示したように、例えば、偶数トラックｉでは学習マーク１５５を格子点（ｉ，ｐ＋５）に記録し、奇数トラックｉ−１及びｉ＋１では学習マーク１５４を格子点（ｉ−１，ｐ＋２）及び（ｉ＋１，ｐ＋２）にそれぞれ記録すればよい。尚、ここでｐは学習領域のスタート位置を示す値である。
【００４２】
次に、漏れ込み量ｄとｅを学習する方法について、図２を用いて説明する。漏れ込み量ｄは、偶数トラックｉでは等化係数学習マーク１５５が格子点（ｉ，ｐ＋５）に記録されているので、格子点（ｉ，ｐ＋６）で得られる再生信号Ｓ’（ｉ，ｐ＋６）と、格子点（ｉ，ｐ＋５）で得られる再生信号Ｓ’（ｉ，ｐ＋５）の比、すなわち、Ｓ’（ｉ，ｐ＋６）／Ｓ’（ｉ，ｐ＋５）として求められる。また、奇数トラックｉ−１では等化係数学習マーク１５４が格子点（ｉ−１，ｐ＋２）に記録されているので、格子点（ｉ−１，ｐ＋３）で得られる再生信号Ｓ’（ｉ−１，ｐ＋３）と、格子点（ｉ−１，ｐ＋２）で得られる再生信号Ｓ’（ｉ−１，ｐ＋２）の比、すなわち、Ｓ’（ｉ−１，ｐ＋３）／Ｓ’（ｉ−１，ｐ＋２）として求められる。
【００４３】
一方、漏れ込み量ｅは、偶数トラックｉでは等化係数学習マーク１５５が格子点（ｉ，ｐ＋５）に記録されているので、格子点（ｉ，ｐ＋４）で得られる再生信号Ｓ’（ｉ，ｐ＋４）と、格子点（ｉ，ｐ＋５）で得られる再生信号Ｓ’（ｉ，ｐ＋５）の比、すなわち、Ｓ’（ｉ，ｐ＋４）／Ｓ’（ｉ，ｐ＋５）として求められる。また、奇数トラックでは等化係数学習マーク１５４が格子点（ｉ−１，ｐ＋２）に記録されているので、格子点（ｉ−１，ｐ＋１）で得られる再生信号Ｓ’（ｉ−１，ｐ＋１）と、格子点（ｉ−１，ｐ＋２）で得られる再生信号Ｓ’（ｉ−１，ｐ＋２）の比、すなわち、Ｓ’（ｉ−１，ｐ＋１）／Ｓ’（ｉ−１，ｐ＋２）として求められる。上記等化係数は、この学習の結果得られる漏れ込み量ｄとｅから求めることができる。
【００４４】
そして、求めた等化係数を用いて再生信号を２次元等化信号処理することにより、隣接間マークからの信号漏れ込みをキャンセルし、マークの有無による情報を検出する。本発明に係る光学的情報記録再生方法では、情報マークを記録する格子点の位置を、隣接するトラック間で互いに半周期ずれるようにトラックごとに変化させ、再生時に問題となる隣接するトラック間のクロストーク量を小さくし、更に上記２次元等化信号処理により隣接するトラックからのクロストークを完全に削除すると共に、符号間干渉も低減することができる。
【００４５】
（３）光記録媒体への情報の記録と再生
本実施の形態では、光記録媒体１００は光磁気ディスクからなり、情報の記録時は、レーザ駆動回路１１９が、記録すべき情報の値１あるいは０に応じてレーザビームの強度を変調する。光記録媒体１００は、図示しないスピンドルモータによって駆動される。光ヘッド１０２は、この変調されたレーザビームを光記録媒体１００上に絞り込み、光スポット１０１を光磁気ディスク１００に照射し、光磁気ディスク１００内の、光スポットが照射された部分に、光スポット１０１の強度に応じた磁化の向きの変化を引き起こす。情報の再生時には、レーザ駆動回路１１９と光ヘッド１０２は、一定強度の光スポット１０１を光記録媒体１００に照射する。光記録媒体１００に照射された光スポット１０１に対する反射光の偏光角がこの磁化の向きの応じて変化する。光ヘッド１０２は、この再生光の偏光が特定の方向であるか否かに応じて大きさが変わる再生信号（以下、光磁気信号とも呼ぶ）１０４を生成する検出器（図示せず）と、この再生光の偏光によらないで、再生光の総光量を表す信号１０３を生成する検出器（図示せず）を有する。
【００４６】
（４）トラックピッチＴｐ、スポットサイズＷｓ、マークピッチＭｐ
本実施の形態では、図２において、ｉ番目のトラックを再生する場合、後に詳しく述べる方法により、そのトラックのすぐ隣のｉ−１番目のトラック及びｉ＋１番目のトラックからのクロストークを除去出来る。その方法が有効であるためには、それらより遠いトラックからのクロストークが実質的に存在しないことが必要である。このために、本実施の形態では、トラックピッチＴｐは、光スポット１０１がｉ−２番目のトラック及びｉ＋２番目のトラックの情報を再生しないような間隔にする。
【００４７】
スポット径Ｗｓは、波長λと絞り込みレンズの開口数ＮＡとによって約λ／ＮＡという値以上になり、情報マークの径Ｗｍは十分なＳ／Ｎの信号が得るのに必要な最小のマーク径以上である必要がある。
【００４８】
光スポット１０１がｉ番目のトラックを再生する場合に、光スポット１０１がｉ−２番目のトラック、及びｉ＋２番目のトラックの情報を再生しないようなトラックピッチＴｐの最小値は、光スポットがｉ−２番目のトラック、及びｉ＋２番目のトラック上の情報マークと接する場合のトラック間隔になり、（Ｗｓ＋Ｗｍ）／４である。例えば、光源波長λ＝７８０ｎｍ、絞り込みレンズの開口数ＮＡ＝０．５５、スポット径を１．４２μｍ、情報マーク径Ｗｍ＝０．５μｍとすると、最小のトラックピッチは０．４８μｍとなる。実際には、トラッキング時の位置ずれが発生すると考えると、最小のトラックピッチはこれより大きくする必要がある。本実施の形態では、トラックピッチは、０．５μｍとする。
【００４９】
次に、マークピッチについて説明する。マークピッチは、同じトラック上の隣接する情報マークを記録しうる格子点の間隔である。本実施の形態では、隣接するトラックからのクロストークを除去するために、本実施の形態での等化処理の原理で説明したところに従い、図２に示すように、同一のトラック上では、一つ置きの格子点に情報マークを記録可能であり、偶数番目のトラックと奇数番目のトラックでは、情報マークを記録可能な格子点を、トラック方向に沿って一つの格子点距離だけずらせている。従って、マークピッチＭｐは、格子点間距離の２倍となる。
【００５０】
上述したようにトラックピッチＴｐを（Ｗｓ＋Ｗｍ）／４以上とし、二次元等化回路１１４において、後に記載する５タップのトランスバーサルフィルタを使用したときに、（４）式と（６）式の計算をした結果、信号に残留する漏れ込み成分の最大値は、（７）式より（８）式のように表すことができる。
【００５１】
Ｅ＝Ｂ・ｃｕｂｅ（Ｃ１）＋Ｂ・ｃｕｂｅ（Ｃ２）              （８）
図４は、例えば、光源波長λ＝７８０ｎｍ、絞り込みレンズの開口数ＮＡ＝０．５５、マーク径Ｗ＝０．５μｍ、トラックピッチＴｐ＝０．５μｍにおいて、マークピッチＭｐを変化させたときの(８)式の値をシミュレーションし、グラフ化したものである。このシミュレーションには、光回折と絞り込みレンズの開口数を考慮し、光ディスク再生過程のシミュレーションを行なうジャーナル  オブオプティカル  ソサエティー  オブ  アメリカ  ６９巻、１号（１９７９年１月）第４頁から第２４頁に記載のホプキンスの回折計算を用いた。図４のグラフから、マークピッチＭｐ＝０．８８μｍの場合に等化残りが信号成分に対して約−２０ｄＢとなることが分かる。即ち、本実施の形態では、マークピッチＭｐがスポット径Ｗｓの約６０％以上必要であることが分かる。
【００５２】
（５）トラッキング
本実施の形態では、ｉ番目のトラックを再生する場合、そのトラックのすぐ隣のｉ−１番目のトラック及びｉ＋１番目のトラックからのクロストークを除去するのに、ｉ番目のトラックを再生するのに使用するレーザビーム以外のレーザビームを使用する必要はない。従って、この結果、光ヘッド１０２の構造が簡単になる。この利点を生かすためには、トラッキングにも他のレーザビームを使用しないことが望ましい。このために、本実施の形態では、特願平５−２５５３５４明細書（これは後に特開平７−１１０９５８として公開された）あるいはそれに対応する米国出願番号０８／３２１６１９号明細書に記載された技術を採用する。ここでは、これらに記載の技術を参照により組み込む。以下では、ごく簡単にこの技術を説明する。
【００５３】
図２に示すように、各セクタのサーボ領域１１には、ＡＮＳＩ  Ｄｏｃ．Ｎｏ．：Ｘ３Ｂ１１／９０−００３−Ｒ１記載のＤＢＦ方式に従い、半径方向に間隔Ｐで直線状に配置されたクロックマーク１５３が各トラックの０の位置に予め記録される。さらに、本実施の形態では、上記に参照した特許出願に記載の技術に従い、ウォブルマーク１５１、１５２をクロックマーク１５３に比べ半径方向に±Ｐ／４位相がずれて予め設けられる。本実施の形態では、このＰはトラックピッチＴｐの２倍に等しいとする。なお、これらのマークに代わり、光記録媒体１００にあらじめピットが形成されてもよい。
【００５４】
情報の記録時あるいは再生時に、光スポット１０１がいずれかのセクタのクロックマーク１５３を通過すると、総光量信号１０３が変化する。同期信号発生器１０５内のＰＬＬ(Phase Locked Loop)（図示せず）はこの信号の変化に応答して、光スポットがクロックマーク１５３を通過した時刻に同期するサーボ信号検出用のクロック信号１０６及びサンプルホールド信号１０７を生成する。クロック信号１０６の周期は、光記録媒体１００上で格子点間の距離を光スポットがトラック方向に移動するのに要する時間とする。
【００５５】
サンプルホールド信号１０７は、光スポットがクロックマーク１５３を通過した時刻から、そのが属するセクタの終端を通過するまでの間レベルＨを持続し、その他ではレベルＬを持続する信号である。同様に、光スポット１０１がウォブルマーク１５１、１５２を通過する時刻に同期して、サンプルホールド信号１０８、１０９を生成する。光スポット位置決め回路１１０は、サーボ信号検出用のクロック信号１０６及びサンプルホールド信号１０７〜１０９に基づいて総光量信号１０３から複数のトラッキングエラー信号と光スポットの位置を表すポジション信号を作り、これらの信号に基づきさらにアクチュエータ制御信号１１１を生成し、光ヘッド１０２のアクチュエータ（図示せず）のトラッキング動作を行う。この技術によれば、半径方向に間隔Ｐより小さい間隔たとえばＰ／８で情報トラックが配置された場合でも、情報の再生あるいは記録再生を行うことが可能になる。尚、本実施の形態では、クロックマーク１５３の半径方向の周期Ｐが１．０μｍで、トラックピッチＴｐがＰ／２で、光スポットの位置決めもこのトラックピッチＴｐの範囲で行われるとする。
【００５６】
（６）学習マークの記録
図７に示すように、等化係数学習回路１２１には、奇偶トラック識別回路２０１、学習マーク記録信号発生回路２０３、カウンタ３６４、学習マークゲート発生器３６５、等化係数算出回路２０６からなる。奇偶トラック識別回路２０１は、比較器２１０、アドレス領域認識回路３６７とトラックアドレス識別回路２１２からなる。
【００５７】
情報記録時においては、まず光ヘッド１０２が、各セクタの先頭部に設けてあるアドレス領域内のアドレスピット（図示せず）を検出する。アドレス領域認識回路３６７は、アドレスピットの検出信号を含む総光量信号１０３に基づいて光スポットがアドレス領域にあるか否かを認識し、光スポットがアドレス領域にあればレベルＨとなり、それ以外ではレベルＬを保持するアドレスゲート信号３６８を出力する。アドレスゲート信号３６８がレベルＨのとき、トラックアドレス識別回路２１２は比較器２１０によって２値化された総光量信号２１１に基づきトラックアドレスを認識し、光スポット１０１が偶数番トラックを走査しているのか、奇数番トラックを走査しているのかを識別し、その結果であるトラック識別結果信号２０２を出力する。具体的には、トラックアドレスの最下位ビットが０であるか１であるかを識別し、その最下位ビット０か１かを出力する。この識別回路はトラック識別結果信号２０２を次のトラック識別が行われまで保持する。以下では、最下位ビットが０の場合を偶数番トラックとし、最下位ビットが１の場合を奇数番トラックとする。
【００５８】
カウンタ３６４は、サンプルホールド信号１０７がレベルＬになるとリセットされて０となり、サンプルホールド信号１０７がレベルＨになると同時にクロック信号１０６のカウントを開始する。学習マークゲート発生器３６５は、カウンタ３６４の出力信号Ｑ０〜Ｑｎに基づきカウンタ３６４の値が、等化係数学習領域１３の先頭にある第１種の格子点を表すｐの時に学習マーク記録トリガ３６６を発生する。学習マーク記録信号発生回路２０３は、トラック識別結果信号２０２、学習マーク記録トリガ３６６に基づき学習マーク１５４、１５５を記録するための学習マーク記録信号１２２を出力する。
【００５９】
具体的には、奇数番トラックに対しては、等化係数学習領域１３の先頭にある第１種の格子点ｐの次の第１種の格子点の番号、すなわちｐ＋２を示すときに、さらに、偶数番トラックに対してこのカウンタが、等化係数学習領域１３の先頭にある第１種の格子点ｐ＋１の次の次の第１種の格子点の番号、すなわちｐ＋５を示すときに、それぞれパルスを出力する。この結果、学習マーク記録信号１２２は、走査中のトラックが偶数番トラックか奇数番トラックかに応じて異なるタイミングで出力されるパルス信号となる。
【００６０】
レーザ駆動回路１１９は、学習マーク記録信号１２２に同期して記録パルス１２０を光ヘッド１０２へ出力し、光ヘッド１０１は、光スポット１０１の強度を記録パルス１２０にしたがって変調する。その結果、図２に示したように、光記録媒体１００上の等化係数学習領域１３内には、トラックの番号が偶数であるか否かに応じて第１種格子点ｐ＋２または第１種格子点ｐ＋５に学習マーク１５４あるいは学習マーク１５５が記録される。
【００６１】
なお、学習マーク１５４と１５５は光スポット走査方向へ互いに干渉しない距離で配置する。すなわち、各学習マーク１５４あるいは１５５からの再生信号に対して、その学習マークが属するトラックの隣接トラック上の学習マークからのクロストークが生じない距離におく。本実施の形態では、３格子点距離にしている。例えば、スポット径Ｗｓを１．４２μｍ、トラックピッチＴｐを０．５μｍ、マークピッチＭｐを０．８８μｍ、マーク径Ｗを０．５μｍとした場合、図２における格子間隔Ｔ＝Ｍｐ／２であるので、図２において例えば偶数番トラック２ｕでは、第１種格子点（２ｕ，ｐ＋５）上に情報記録マーク１５７と同形のマークを等化係数学習マーク１５５として記録し、例えば、奇数番トラック２ｕ−１では、第１種格子点（２ｕ−１，ｐ＋２）上に情報記録マーク１５７と同形のマークを等化係数学習マーク１５４として記録すれば、学習マーク１５４と１５５間での干渉は生じなくなる。
【００６２】
（７）ユーザデータの記録
ユーザデータは、上述した学習マークの記録が終了した後で記録される。図５（ａ）において、カウンタ３６１は、サンプルホールド信号１０７がレベルＬになるとリセットされて０となり、サンプルホールド信号１０７がレベルＨになると同時にクロック信号１０６のカウントを開始する。記録領域ゲート発生器３６２は、カウンタ３６１の出力信号Ｑ０〜Ｑｎに基づきカウンタ値ｑでレベルＨとなり、データ記録領域の終了と同時にレベルＬとなる記録領域ゲート信号３６３を発生する。
【００６３】
逓倍回路３５４はクロック信号１０６の周期を２倍にした偶数クロック信号３５５と奇数クロック信号３５６を出力する。図５（ｂ）に示したようにデータ記録領域１４内の第１種格子点ｑ＋２、ｑ＋４……の位置に対応する時間で偶数クロック信号３５５の立ち上がりが同期し、第１種格子点ｑ＋１、ｑ＋３、ｑ＋５……の位置に対応する時間で奇数クロック信号３５６の立ち上がりが同期する。セレクタ３５７は奇偶トラック識別回路２０１の出力であるトラック識別結果信号２０２が”０”ならば偶数トラック信号３５５を記録再生クロック３５８として出力し、トラック識別結果信号２０２が”１”ならば奇数トラック信号３５６を記録再生クロック３５８として出力する。変調回路２０４は、記録領域ゲート信号がレベルＨであれば動作し、記録すべきユーザデータ１１７を適当な符号化規則にしたがって変調し、セレクタ３５７の出力である記録再生クロック信号３５８に依存して異なるタイミングで変調データ１１８を出力する。この変調データ１１８は、図２に示したように偶数番トラック、例えば、２ｕの場合には、データ記録領域１４内の第１種格子点ｑ＋２、ｑ＋４……の位置に対応する時間で図有意となり、奇数番トラック２ｕ−１の場合にはデータ記録領域内の第１種格子点ｑ＋１、ｑ＋３、ｑ＋５……の位置に対応する時間で有意となる。
【００６４】
レーザ駆動回路１１９は変調データ１１８にしたがって、レーザビームの強度を変調し、光ヘッド１０２により、光記録媒体上のデータ記録領域１４内の情報を書き込むべき一つ置きの格子点に情報記録マーク１５７を記録したりあるいは記録しないようにする。こうして、情報記録マーク１５７は、偶数番トラックの場合にはデータ記録領域内の第１種格子点ｑ、ｑ＋２、ｑ＋４……のいずれかもしくは全てに記録され、奇数番トラックの場合にはデータ記録領域内の第１種格子点ｑ＋、ｑ＋３、ｑ＋５……の位置のいずれかもしくは全てに記録される。
【００６５】
（８）情報再生時の前処理
前処理回路１１２は、光ヘッド１０２から与えられる光磁気信号１０４の内に含まれる、情報マークの有無に関係しない余分なオフセット成分を削減する。具体的には、光記録媒体１００の情報マークが記録されていないオフセット検出領域１２からの反射光レベルを検出し、その後に検出される光磁気信号１０４からこの反射光レベルを減算する。図６を参照するに、前処理回路１１２はサンプルホールド回路（Ｓ／Ｈ回路）２２１、オフセット量差分回路２２３、アナログディジタル変換回路（Ａ／Ｄ回路）２２５、カウンタ２２６、サンプルパルス発生器２２７から構成される。カウンタ２２６は、サンプルホールド信号１０７がレベルＬになるとリセットされて０となり、サンプルホールド信号１０７がレベルＨになると同時にクロック信号１０６のカウントを開始する。サンプルパルス発生器２２７は、カウンタ２２６の出力信号Ｑ０〜Ｑｎに基づきカウンタ値ｎの時にサンプルパルス２２８を発生する。Ｓ／Ｈ回路２２１はサンプルパルス２２８が入力されると同時に光磁気信号１０４のレベルをサンプルし、次のサンプルパルス２２８が入力されるまでサンプルレベル２２２をホールドする。このサンプルされたレベルは上記情報マークが記録されていないオフセット検出領域１２からの反射光レベルである。オフセット量差分回路２２３は、光磁気信号１０４とサンプルレベル２２２のオフセット差分信号２２４を出力する。Ａ／Ｄ回路２２５はクロック信号１０６に基づきオフセット差分信号２２４をディジタル信号に変換し、ディジタル差分信号１１３として出力する。
【００６６】
（９）等化係数の測定
等化係数学習回路１２１内の等化係数算出回路２０６は、２次元的な漏れ込みを低減する最適な等化係数を求めるために用いられる。図８を参照するに、この回路は、漏れ込み量ｄを検出する回路２４１と漏れ込み量ｅを検出する回路２４２と、これらの検出回路により検出された漏れ込み量ｄとｅとから、等化係数を算出するための演算回路２４５から２５０、２５４から２５８とからなる。
【００６７】
漏れ込み量検出回路２４１の概略構成を図９（ａ）に示した。カウンタ２６８は、サンプルホールド信号１０７がレベルＬになるとリセットされて０となり、サンプルホールド信号１０７がレベルＨになると同時にクロック信号１０６のカウントを開始する。サンプルパルス発生器２６０は、カウンタ２６８の出力信号Ｑ０〜Ｑｎに基づきサンプルパルス２６１と２６２を発生する。光スポット１０１が偶数番、たとえば、２ｕ番のトラックを走査している場合、前記奇偶トラック識別回路２０１が発生するトラック識別結果信号２０２は”０”となる。このとき図２に示したように学習マーク１５５は第１種格子点（２ｕ，ｐ＋５）の位置に記録されており、サンプルパルス発生器２６０は第１種格子点（２ｕ，ｐ＋６）でサンプルパルス２６１を発生すると共に、第１種格子点（２ｕ，ｐ＋５）でサンプルパルス２６２を発生する（図９（ｂ）参照）。サンプルホールド回路２６３及び２６４は、各々サンプルパルス２６１及び２６２のパルス位置でディジタル差分信号１１３をサンプルし、格子点信号Ｓ’（２ｕ，ｐ＋６）と格子点信号Ｓ’（２ｕ，ｐ＋５）を得る。除算器２６７は、これら信号Ｓ’（２ｕ，ｐ＋５）と信号Ｓ’（２ｕ，ｐ＋６）の比（Ｓ’（２ｕ，ｐ＋６）／Ｓ’（２ｕ，ｐ＋５））を、漏れ込み量ｄとして出力する。一方、光スポット１０１が奇数番の、たとえば、２ｕ−１のトラックを走査している場合、前記トラック識別結果信号２０２は”１”となる。このとき図２に示したように学習マーク１５５は第１種格子点（２ｕ−１，ｐ＋２）の位置に記録されており、サンプルパルス発生器２６０は第１種格子点（２ｕ−１，ｐ＋３）でサンプルパルス２６１を発生すると共に、第１種格子点（２ｕ−，ｐ＋２）でサンプルパルス２６２を発生する（図９（ｂ）参照）。サンプルホールド回路２６３及び２６４は、各々サンプルパルス２６１及び２６２のパルス位置でディジタル差分信号１１３をサンプルし、格子点信号Ｓ’（２ｕ−１，ｐ＋３）と格子点信号Ｓ’（２ｕ−，ｐ＋２）を得る。除算器２６７は、これら信号Ｓ’（２ｕ−１，ｐ＋３）と信号Ｓ’（２ｕ−１，ｐ＋２）の比（Ｓ’（２ｕ−１，ｐ＋３）／Ｓ’（２ｕ−１，ｐ＋２））を、漏れ込み量ｄとして出力する。
【００６８】
漏れ込み量検出回路２４２の概略構成も漏れ込み量検出回路２４１と同じく図９（ａ）で表される。以下では、図９（ａ）を利用して漏れ込み量検出回路２４２の概略構成と動作を説明する。漏れ込み量検出回路２４２と２４１の相違は、サンプルパルス発生器２６０が発生するサンプルパルス２６１と２６２のタイミングが異なる点にある。光スポット１０１が偶数番、たとえば、２ｕ番のトラックを走査している場合、前記トラック識別結果信号２０２は”０”となる。このとき図２に示したように学習マーク１５５は第１種格子点（２ｕ，ｐ＋５）の位置に記録されており、サンプルパルス発生器２６０は第１種格子点（２ｕ，ｐ＋４）でサンプルパルス２６１を発生すると共に、第１種格子点（２ｕ，ｐ＋５）でサンプルパルス２６２を発生する（図９（ｂ）参照）。サンプルホールド回路２６３及び２６４は、各々サンプルパルス２６１及び２６２のパルス位置でディジタル差分信号１１３をサンプルし、格子点信号Ｓ’（２ｕ，ｐ＋４）と格子点信号Ｓ’（２ｕ，ｐ＋５）を得る。除算器２６７は、これら信号Ｓ’（２ｕ，ｐ＋５）と信号Ｓ’（２ｕ，ｐ＋４）の比（Ｓ’（２ｕ，ｐ＋４）／Ｓ’（２ｕ，ｐ＋５））を、漏れ込み量ｅとして出力する。一方、光スポット１０１が奇数番の、たとえば、２ｕ−１のトラックを走査している場合、前記トラック識別結果信号２０２は”１”となる。このとき図２に示したように学習マーク１５５は第１種格子点（２ｕ−１，ｐ＋２）の位置に記録されており、サンプルパルス発生器２６０は第１種格子点（２ｕ−１，ｐ＋１）でサンプルパルス２６１を発生すると共に、第１種格子点（２ｕ−１，ｐ＋２）でサンプルパルス２６２を発生する（図９（ｂ）参照）。サンプルホールド回路２６３及び２６４は、各々サンプルパルス２６１及び２６２のパルス位置でディジタル差分信号１１３をサンプルし、格子点信号Ｓ’（２ｕ−１，ｐ＋１）と格子点信号Ｓ’（２ｕ−１，ｐ＋２）を得る。除算器２６７は、これら信号Ｓ’（２ｕ−１，ｐ＋１）と信号Ｓ’（２ｕ−１，ｐ＋２）の比（Ｓ’（２ｕ−１，ｐ＋１）／Ｓ’（２ｕ−１，ｐ＋２））を、漏れ込み量ｅとして出力する。
【００６９】
図８に示した演算回路２４５〜２５０及び２５４〜２５８は、上記検出回路２４１，２４２によって求められた漏れ込み量ｄ及びｅに基づき等化時に用いる等化係数を算出する回路である。これらの内、演算回路２４５〜２４７は、光スポット１０１が走査中のトラックに隣接するトラックからのクロストークを再生信号から除去するための等化係数Ａ０、Ａ１、Ａ２を（４）式に従いそれぞれ算出する。演算回路２４８〜２５０及び演算回路２５４〜２５８は、上記計算された係数Ａ０、Ａ１、Ａ２を用いてクロストークを除去した後の再生信号から、そのトラック上の符号間干渉をによる成分を除去するのに使用する等化係数Ｃ０からＣ４をそれぞれ（６）式に従い算出する。
【００７０】
すなわち、演算回路２４５は、漏れ込み量ｄと漏れ込み量ｅに基づいて（４）式に示した等化係数Ａ０を算出する。演算回路２４６は、漏れ込み量ｄと漏れ込み量ｅに基づいて（４）式に示した等化係数Ａ１を算出する。さらに演算回路２４７は、漏れ込み量ｄと漏れ込み量ｅに基づいて（４）式に示した等化係数Ａ２を算出する。演算回路２４８は、漏れ込み量ｄと漏れ込み量ｅに基づいて（６）式に示した等化係数Ｃ０を算出する。演算回路２４９は、漏れ込み量ｄと漏れ込み量ｅに基づいて（６）式に示した等化係数Ｃ１を算出して出力する。演算回路２５０は、漏れ込み量ｄと漏れ込み量ｅに基づいて（６）式に示した等化係数Ｃ２を算出する。演算回路２５１は、漏れ込み量ｄと漏れ込み量ｅに基づいて（６）式に示した等化係数Ｃ３を算出する。演算回路２５２は、漏れ込み量ｄと漏れ込み量ｅに基づいて（６）式に示した等化係数Ｃ４を算出する。
【００７１】
（１０）情報の再生
情報再生時には、２次元等化回路１１４は、前処理回路１１２から出力されるディジタル差分信号１１３に対して、２次元的な漏れ込みを低減するための２次元等化処理を実行する。本実施の形態では、すでに述べた（４）式と（６）式の計算を行うことにより２次元的な漏れ込みを低減する。図１０において、２次元等化回路１１４は、等化回路３３１と３３２とからなり、等化回路３３１は、等化係数学習回路１２１から出力される等化係数Ａ０〜Ａ２に基づき、（４）式に従って前処理回路１１２から供給されるディジタル差分信号１１３に含まれるクロストークを低減し、クロストーク削減信号３２１を出力する。等化回路３３２は、等化係数学習回路１２１から出力される等化係数Ｃ０〜Ｃ４に基づき、（６）式に従ってクロストーク削減信号３２１に含まれる符号間干渉成分を低減し、等化後信号１１５を出力する。
【００７２】
等化回路３３１は、遅延回路２７０，２７１と、利得調整回路２８０〜２８２と、加算器２９０，２９１とで構成された３タップのトランスバーサルフィルタである。
【００７３】
遅延回路２７０と２７１は、クロック信号１０６で制御され、ディジタル差分信号１１３を格子間隔Ｔを光スポットが走査するのに要する時間Ｄだけ遅延させて遅延信号３００と３０１を生成する。利得調整回路２８０は、ディジタル差分信号１１３と等化係数Ａ２を掛け合わせた利得調整信号３１０を出力する。利得調整回路２８１は遅延信号３００と等化係数Ａ０を掛け合わせた利得調整信号３１１を出力し、利得調整回路２８２は遅延信号３０１と等化係数Ａ１を掛け合わせた利得調整信号３１２を出力する。利得調整信号３１０〜３１２は加算器２９０と２９１により加算された後、クロストーク削減信号３２１として出力される。こうして、このクロストーク削減信号３２１は、式（４）に示す信号Ｓ''（ｉ,ｊ）となり、隣接トラックからのクロストークが低減された信号となる。
【００７４】
しかし、この信号３２１は、このままでは目的とする格子点（ｉ，ｊ）に対して、格子点（ｉ，ｊ−２）及び格子点（ｉ，ｊ＋２）からの符号間干渉を含む。等化回路３３２は、この符号間干渉を低減するために(６)式の計算を行う。すなわち、等化回路３３２では、４段の遅延回路２７２〜２７５がクロック信号１０６で制御され、クロストーク削減信号を時間２Ｄ遅延させ、遅延信号３０２〜３０５を生成する。利得調整回路２８３は、クロストーク削減信号３２１と等化係数Ｃ４を掛け合わせた利得調整信号３１３を出力する。同様に、利得調整回路２８４〜２８７は、遅延信号３０２〜３０５と等化係数Ｃ２，Ｃ０，Ｃ１，Ｃ３を各々掛け合わせた利得調整信号３１４〜３１７を出力する。利得調整信号３１３〜３１７は加算器２９２〜２９５により加算された後、等化後信号１１５として出力される。この等化後信号１１５は、式（６）が示す信号Ｓ'''（ｉ、ｊ）となり、隣接トラックからのクロストークと走査中のトラックからの符号間干渉が低減された信号となる。
【００７５】
データ制御回路１１６はこの等化後信号１１５を復調して記録されたデータを再生する。すなわち、図５（ａ）を参照するに、データ制御回路１１６では２次元等化回路１１４から供給される等化後信号１１５をしきい値信号３５１に基づいて比較器３５０が２値化する。
【００７６】
逓倍回路３５４はクロック信号１０６を逓倍し、格子点ｑ＋２、ｑ＋４……に信号の立ち上がりが同期した偶数トラック信号３５５と、格子点ｑ＋１、ｑ＋３……に信号の立ち上がりが同期した奇数トラック信号３５６を生成する（図５（ｂ）参照）。光スポット１０１が偶数番トラックを走査している場合、情報はデータ記録領域１４内の格子点ｑ＋２、ｑ＋４……の位置に記録されている。このとき、前記トラック識別結果信号２０２は”０”となり、セレクタ３５７は偶数クロック信号３５５を選択し、記録再生クロック信号３５８として出力する。ラッチ回路３５３は記録再生クロック信号３５８の立ち上がりと同時に入力３５２をラッチするので、比較結果３５２に含まれる格子点ｑ＋２、ｑ＋４……位置のデータを採取でき、その結果をラッチ結果３５９として出力する。
【００７７】
一方、光スポット１０１が奇数番トラックを走査している場合、情報はデータ記録領域１４内の格子点ｑ＋１、ｑ＋３……の位置に記録されている。このとき、前記トラック識別結果信号２０２は”１”となり、セレクタ３５７は奇数トラック信号３５６を選択し、記録再生クロック信号３５８として出力する。ラッチ回路３５３は記録再生クロック信号３５８の立ち上がりと同時に入力３５２をラッチするので、比較結果３５２に含まれる格子点ｑ＋１、ｑ＋３……位置のデータを採取でき、その結果をラッチ結果３５９として出力する。上記のようにして得られたラッチ結果３５９は、記録時の符号化則に基づきデータを復調する復調回路３６０で復調され、データ１１７が得られる。復調回路３６０は記録領域ゲート信号３６３がレベルＨのときに動作する。
【００７８】
このように、本実施の形態では、一つのレーザビームを用いて、クロストークも、符号間干渉も除去できる。しかも、２次元等化回路１１４は、トランスバーサルフィルタを２個直列に配置した簡易な構成の等化回路であり、さらに、図８に示した等化係数算出回路２０６に関して説明したように、等化係数も簡易な演算回路により算出できるので、従来の最小自乗誤差法を用いて等化係数を求める場合に比べて短時間で済み、ランダムアクセスにも高速に対応することが可能となる。
【００７９】
なお、前述した特開平２−２５７４７４号公報に開示される従来技術によれば、次の問題点もある。
【００８０】
（１）光スポットは１つで良いが、最低２つのトラックの情報を一旦メモリに記憶する必要があるため、隣接するトラックからのクロストークや符号間干渉を低減するためには、最低でもディスクが２回転した後でないと再生信号を得ることができない。
【００８１】
（２）変動要因が生じた場合の等化係数を適応的に求める適応アルゴリズムとして、一般的に広く用いられている最小自乗誤差法を適用しているため、最適な等化係数を発見するまでに数百ミリ秒もの時間がかかり高速なランダムアクセスが実現できない上に、レンズ系の非対称な収差（コマ収差）やディスクの反りなどがある場合にはその影響を排除できない。
【００８２】
また、前述の特開平５−２０５２８０号公報に開示される従来技術には、次の問題点もある。
【００８３】
（３）学習マークを用いて隣接するトラックからのクロストーク量を検出することができるけれども、目的トラック上の符号間干渉を検出することができない。
【００８４】
しかし、本実施の形態の方法は、このような問題点を有しない。
【００８５】
＜発明の実施の形態２＞
本実施の形態では、実施の形態１のように各トラックの各セクタに等化係数学習領域を用いて等化係数を検出するのではなく、それぞれ複数のトラックに共通に使用するための複数の等化係数学習トラックを用いて等化係数を検出する。
【００８６】
すなわち、図１１（ａ）に示すように、光記録媒体１００上にはデータ記憶トラック領域５０２ａ、５０２ｂ、５０２ｃと、等化係数を学習するための等化係数学習トラック領域５０１ａ、５０１ｂ、５０１ｃを設ける。等化係数学習トラック５０１ａ，５０１ｂ，５０１ｃはそれぞれデータ記録トラック領域５０２ａ、５０２ｂ、５０２ｃに対応して、かつ、それらのトラック領域の外側に設けられ、それぞれデータ記録トラック領域５０２ａ、５０２ｂ、５０２ｃにデータを記録するときおよびそれぞれからデータを再生するときに使用される。この結果、この記録媒体１００の各セクタには、図１１（ｂ）に示すように、等化係数学習用もしくはデータ記録用に使用される領域１５が含まれ、図２に示した等化係数学習領域１４は存在しない。
【００８７】
等化係数学習用トラック領域、たとえば、５０１ｂは、一定本数のトラックからなり、その中心のトラックの各セクタの等化係数学習用又はデータ記録用の領域１５の先端の第１種格子点ｐの次の第１種格子点ｐ＋２からそのセクタの終端までの間に、学習マーク１５８が、一定間隔で記録される。この間隔は、隣接する学習マーク間の干渉が無視できるように選ぶ。本実施の形態では、この間隔は、６格子点間距離である。等化係数学習用トラック領域内の他のトラックには、これらの学習マークは記録されない。これらの他のトラックは、学習マーク１５８に対して、近傍のデータ記録用のトラックから上記中心のトラックへのクロストークが無視できるようにするためのダミーのトラックである。本実施の形態では、各等化係数学習用トラック領域に合計４本のダミートラックを有する。
【００８８】
全ての等化係数学習用トラック領域に対してこれらの学習マークが情報マークの記録前に記録される。このために、図１に示した、光スポット位置決め回路１１０は上位制御回路（図示せず）からの学習実行信号５５０に応答して、光スポット１０１を、等化係数学習トラック領域５０１ａ、５０１ｂ、５０１ｃの一つの中心のトラックに位置決めするように構成される。さらに、図７に示した等化係数学習回路１２１内の学習マーク発生回路２０３は、図１１（ｂ）に示したように、そのトラック上に一連の学習マーク１５８を記録するように構成される。本実施の形態では、学習マークを記録する格子点は、全ての等化係数学習用トラック領域に対して同じである。従って、この学習マーク発生回路２０３は、図７の奇偶トラック識別回路２０１の識別結果には応答しない。このような学習マークの記録は、他の全ての等化係数学習用トラック領域に対して繰り返す。
【００８９】
等化係数学習マーク１５８の記録が終了すると、等化係数学習マーク１５８をスポット１０１で再生して等化係数の学習を行う。
【００９０】
各データトラック領域ごとの等化係数学習マーク１５８の書き込みは、未記録ディスクが挿入された場合に初期化作業と共に行う。等化係数の学習は、ディスク挿入時にデータの読み出し前に行われる。
【００９１】
本実施の形態では、実施の形態１と異なり、いずれかの等化係数学習用トラック領域の中心のトラックの各セクタに複数の学習マークが記録されているので、図８に示した漏れ込み量検出回路２４１、２４２は以下のようにして漏れ込み量ｄとｅを検出するように構成される。すなわち、同一トラック上のいずれかのセクタについて、それぞれ学習マーク１５８が記録されている第１種格子点（ｉ，ｐ＋２）、（ｉ，ｐ＋８）、（ｉ，ｐ＋１４）、、、に対するディジタル差分信号１１３を平均して、平均化格子点信号Ｍ’（ｉ，ｐ＋２）を計算する。さらに、それらの第１種格子点の直後の第２種格子点（ｉ，ｐ＋３）、（ｉ，ｐ＋９）、（ｉ，ｐ＋１５）、、、に対するディジタル差分信号１１３を平均して、平均化格子点信号Ｍ’（ｉ，ｐ＋３）を計算する。漏れ込み量検出回路２４１は、信号Ｍ’（ｉ，ｐ＋２）と信号Ｍ’（ｉ，ｓ＋３）の比Ｍ’（（ｉ，ｐ＋３）／Ｍ’（ｉ，ｐ＋２））を計算し、そのセクタに対する漏れ込み量を得る。この計算を全セクタに対して行い、各セクタに対して得られる漏れ込み量の平均を、その等化係数学習用トラック領域の漏れ込み量ｄとして得る。
【００９２】
同様に、各セクタのそれらの第１種格子点の直前の第２種格子点（ｉ，ｐ＋１）、（ｉ，ｐ＋７）、（ｉ，ｐ＋１３）、、、に対するディジタル差分信号１１３を平均して、平均化格子点信号Ｍ’（ｉ，ｐ＋１）を計算する。漏れ込み量検出回路２４２は、信号Ｍ’（ｉ，ｐ＋１）と信号Ｍ’（ｉ，ｐ＋２）の比Ｍ’（（ｉ，ｐ＋１）／Ｍ’（ｉ，ｐ＋２））をそのセクタの漏れ込み量として得る。その後全てのセクタに関して得られる漏れ込み量の平均を、その等化係数学習用トラック領域の漏れ込み量ｅとして得る。
【００９３】
このようにして得られた漏れ込み量ｄ、ｅから、実施の形態１と同じ方法で等化係数を算出できる。上記等化係数の学習は、各等化係数学習トラック５０１ａ〜５０１ｃに対して行い、各等化係数学習トラック領域に対応して、得られた等化係数を記憶する。情報の記録再生は上述した等化係数の学習が終了した後で行われる。いずれかのデータトラック領域内のトラックをデータ再生のためにアクセスするときには、そのデータトラック領域に対応する等化係数学習トラック領域に対して算出された等化係数を利用する。この実施の形態２の方法では、各トラックに学習マークを記録しないので等化係数学習領域を小さくすることができ、その分データの記録密度を向上することができる。
【００９４】
＜発明の実施の形態１、２の変形例＞
（１）実施の形態１で使用した（６）式の代わりに、（６ａ）式または（６ｂ）式を使用する場合には、図８の演算回路２４８から２５０、２５４から２５８を、漏れ込み量検出回路２４１，２４２の出力信号から、それぞれ（６ａ）式または（６ｂ）式に示した等化係数Ｇ１〜Ｇ２および等化係数ＹとＺ０〜Ｚ６を求めるように構成すればよい。このとき、図１０の等化回路３３２をそれぞれ３タップのトランスバーサルフィルタまたは７タップのトランスバーサルフィルタで構成すればよい。この技術は実施の形態２でも使用出来る。
【００９５】
（２）実施の形態１、２では、光スポット１０１がオフセット量を検出する際にオフセット量検出領域１２内の一つの格子点での反射光の強度を検出してオフセットとして使用したが、オフセット量検出領域１２内の複数の格子点での反射光の強度を検出して、それらの格子点での検出値の平均値をオフセット量とすることも出来る。この方法では、オフセット量の検出精度を向上することができる。
【００９６】
（３）実施の形態１及び実施の形態２では、光学的記録媒体に光磁気ディスクを用いたが、本発明による光学的情報再生方法は記録媒体を問わない。例えば、追記媒体、相変化媒体、あるいはＲＯＭ媒体でも構わない。これらの媒体では情報マークの再生信号は総光量信号により与えられるので、上記実施の形態１または２記載の光学的情報記録再生装置において、光磁気信号を総光量信号で置き換えればよい。ＲＯＭ媒体のマーク径は、上記実施の形態１および２で述べた値と少々異なり、以下のように定める。図１２は、ＲＯＭ媒体のマーク径Ｗに対する規格化変調度０−ｐの関係をシミュレーションした結果である。このグラフからマーク径Ｗが光スポット径Ｗｓ（≒λ／ＮＡ）に対して、５５％の場合に最大変調度が得られることが分かる。しかし、本発明に係る光学的情報記録再生方法によりＲＯＭ媒体を再生する場合、隣接トラックからのクロストークで０〜１００％の変調度のうち約４０％の変調度が使われてしまうため、孤立信号の変調度は約６０％でなければならない。また、孤立信号のＳ／Ｎを確保するためには変調度を約４０％以上にする必要がある。このことから、孤立信号の変調度は４０％〜６０％である必要があり、マーク径Ｗは光スポット径Ｗｓに対して２５％〜４０％となる。
【００９７】
（４）実施の形態１と２では、漏れ量の検出とクロストークの除去に使用された中間点は、同じトラック上の二つの情報記録用格子点の中心にちょうど位置している。このことは、クロストークの効果的な除去の観点からは望ましいが、しかし、この中心から少しずれた中間点も必要に応じて使用することが出来る。このことは後で述べる実施の形態においても同じである。
【００９８】
＜発明の実施の形態３＞
実施の形態１、２では、レーザ光の強度を変調して光記録媒体上に情報を記録する光変調方式を採用したが、本実施の形態では、磁界変調方式による情報記録を利用する。
【００９９】
磁界変調方式は、光ビームの強度を変調するのではなく、磁界を変調することにより情報マークを光記録媒体上に記録する。このため、本実施の形態では、実施の形態１の光ディスク装置に、磁界駆動用の回路と磁界発生用のコイルを追加する。図１８は、実施の形態１の装置において、磁界変調方式により光記録媒体に記録された情報を示す。光変調方式で記録された情報マークは、図２に示したように略円形となるが、磁界変調方式を用いて記録された情報マークは、矢羽根形となる。
【０１００】
なお、本実施の形態は、実施の形態２で述べたような、等化係数学習用のトラックを設けて記録再生時の前に予め等化係数を求めておく場合についても、同様に適用できる。
【０１０１】
本実施の形態の磁界変調方式に代えて、光磁界変調方式による情報記録を利用することもできる。光磁界変調方式は、光ビームの強度を変調すると共に磁界も同期させて変調することにより情報マークを光記録媒体上に記録する。
【０１０２】
＜参考例＞
これまでの実施の形態では情報記録格子点に情報マークが記録されているか否かにより情報を表していた。後述する実施の形態４、５では、多値レベルの信号を表す一定形状の情報マークを各情報記録用格子点に記録する。とくに実施の形態４では、多値レベルの信号を情報マークに記録するとともに、その情報マークの記録位置を各情報記録格子点ごとにずらせる。本参考例では、後の実施の形態４に使用する技術のベースを説明するために、情報マークを記録する位置を記録すべき情報に応じて情報記録格子点からずらせる方法を示す。すなわち、情報マークの記録位相を記録する情報に応じて多値に変える例である。
【０１０３】
従来、光ディスクの高密度化のために、多値の情報に依存して記録する情報マークを微少に変化させる方法も提案されている。たとえば、特開平６−７６３０３号明細書には、記録すべき多値情報に応じて、長マークの前、後エッジをそれぞれ独立に変化させる方法が提案されている。この方法は情報マークを凹凸のレリーフパターンとして作成する再生専用の光ディスクに適用されている。また、トラックピッチは従来の光ディスクと同様に光スポット径の大きさ程度に離され、それにより隣接トラックからのクロストークを低減するように構成されている。
【０１０４】
このような従来技術では、多値情報に応じて微妙に変化する情報マークを記録する必要があり、このような微妙に変化する情報マークを精度よく記録あるいは再生することが難しいという問題を有する。
【０１０５】
すなわち、前述の従来技術に記載したように、従来の方法では、光デイスクはマーク形状とその位置に情報を持たせてきた。例えば、長円形状を例に採ると、この形状を決めるパラメータとして、前縁の曲率、幅、後縁の曲率と幅、さらに、前縁と後縁の位置、および前縁から後縁までの距離等があり、決めるパラメータの数の多さに比例してのせる情報は多くなるが、逆に制御が難しくなる。特に、凹凸レリーフパターンは原盤カッテイングから、スタンパ、インジェクションと複数のプロセスを経るため途中で前述のパラメータが微妙に変動するため、正確に形状、位置を制御するのが困難である。エッジ位置の微少変動の検出には２次元的な分布を持つ光スポットによって、前記形状パラメータを持つマークをスキャンして一次元の電気信号に変換した波形を処理している。そのため、エッジ位置変動以外の前記パラメータが変動しても、誤って位置変動とみなす。従って従来の長マークのエッジを微少に移動させる方法では情報を安定に検出することが困難となる。さらに、情報を記録再生する光ディスク装置では記録過程において装置固有の変動（パワー変動、焦点ずれ、トラックずれ、媒体の記録感度むら等）が発生し、記録条件が変化することから記録マーク形状がさらに影響を受けて変動する。このため、長マークのエッジを微少に移動させる方法は情報を記録再生する光ディスク装置には適用できない。
【０１０６】
本参考例では、前記光ディスクの情報マークとして、形状パラメータを最少に抑えることのできる円形の情報マークを記録する。これにより、記録する情報マーク形状を一種類とした。このマークの中心位置を記録すべき情報により微少量変化させる。
【０１０７】
このようにして記録された情報マークを再生するときに、再生信号のピーク位置と情報記録格子点との間の位置ずれをを検出し、検出されたこの位置ずれを復号して、その情報マークに記録された情報を再生する。
【０１０８】
（１）情報マークの記録
具体的なマークの配列を図１３に示す。本参考例でも実施の形態１と同様に情報記録格子点は面心長方格子を形成している。記録する情報の値と情報マークの記録位置との関係は、スポット走査方向をプラスにして図１４に示すように定義する。図１５（ａ）は、第ｉ番目のトラックの一つのセクタに記録された複数の情報マークを例示する。図では同一の格子点に複数の情報マークを重畳して示しているが、実際には一つの格子点には一つの情報マークしか記録されない。図では各セクタの先頭に値する図２に示したウオブルマークを簡単化のために図示していない。また、本参考例では図２に示された学習マークは使用しない。光記録媒体としては、実施の形態１と同様に光磁気媒体を使用し、一定の強度のレーザ光を照射して情報マークを記録する。従って、記録される情報マークの形状は円形である。この円形は、形状を決めるパラメータが半径のみであるので、一定の形状にすることが容易であり、かつ、その中心位置の制御もしやすい。６５４、６５５、６５７、６５８はｉ番目のトラック上のｐ＋５番目の格子点（これは情報記録格子点と仮定する）に対してそれぞれ−２Δ、−Δ、＋Δ、＋２Δだけずれた位置に記録されたマークである。６００は、記録された情報マークの読み出しタイミングを決めるためのそれ自体は公知の基準記録マークである。
【０１０９】
具体的には、本参考例では図１６に示す記録回路を使用する。プリピット検出回路７１６はデイスク面上の各トラックの先頭部分に一定繰り返し周期であらかじめ作成されたそれ自体公知の複数のプリピット（図示せず）を光ヘッドが走査したとき光ヘッド（図示せず）内の総光量検出器（図示せず）が検出した総光量を表す総光量信号を利用して、それらのプリピットで決まる周期と位相を有する基準クロック信号を生成する。この基準クロック信号は、各格子点（情報記録格子点および情報を記録しない格子点の各々）の走査タイミングに同期したクロック信号である。記録タイミング発生回路７１７はこの基準クロック信号から、情報記録格子点の走査タイミングに一致した記録タイミングクロックを作り出す。この記録タイミングクロックは、走査するトラックが偶数番目か奇数番目かに応じて位相が異なるのは実施の形態１と同じである。符号化回路７０９はユーザデータを２ビットずつ区分し、各２ビットを図１４に従い位置ずれの情報に変換し、各情報を位相シフト回路７１１に与える。位相シフト回路７１１は記録タイミング発生回路７１７から出力された記録タイミングクロックの位相をこの位置ずれ情報に応じて変調する。光パルス発生回路７１４は、この位相変調されたクロックに同期してレーザ光を強度変調する。なお、図１６では、図１５に示した基準記録マーク６００を書き込む回路は簡単化のために省略した。
【０１１０】
（２）情報マークの再生
図１５（ｂ）に、図１５（ａ）の情報マーク６５４、６５５、６５７、６５８を再生したときの信号出力を重ねて示す。これらの情報マークに対応する再生波形は、格子点６０８をスポットの中心が通過するタイミング６０９に対して頂点がそれぞれΔあるいは２△ずれた単峰性の波形６５４’、６５５’、６５７’、６５８’となる。この波形からずれ量を検出する方法としては、種々の方法があるが、各単峰性の再生波形のピーク位置が対応する情報マークの中心位置と一致することを考慮すると、これらの再生波形６５４’から６５８’の差分（または微分）信号を利用する方法が簡単である。これらの再生信号の差分出力は図１５（ｃ）に示すような波形となる。それぞれの波形の零クロス点６１０から６１４が対応する情報マークの中心位置を検出した時刻を表すことになる。従って、これらの零クロス点と格子点通過タイミング６０９との時間差を測定することにより、対応する情報マークの記録位置の情報記録格子点からのずれ量を求めることができる。
【０１１１】
具体的には、図１７に示す再生回路を使用する。プリピット検出回路７０８は、図１６のプリピット検出回路７１６と同様に、複数のプリピット（図示せず）を光ヘッドが走査したとき光ヘッド（図示せず）からの総光量信号を利用してこれらのプリピットに同期して各格子点（ただし、情報記録格子点および情報を記録しない格子点の各々）の走査タイミングを示す基準クロック信号を出力する。図１５の６００は、記録された情報マークの読み出しタイミングを決めるためのそれ自体は公知の基準記録マークである。図１７の基準記録マーク検出回路７０６は、各セクタのこのマーク６００を検出する回路である。検出タイミング発生回路７１７は、プリピット検出回路７０８から出力された基準クロックから、情報記録格子点の走査タイミングを示す検出タイミングクロックを生成する。その際、この検出タイミングクロックの位相を基準記録マーク検出回路７０６による基準記録マークの検出タイミングに一致させる。すなわち、プリピット検出回路７０８で生成された各格子点に対応した基準クロック信号と基準記録マーク６００の中心の検出タイミングとのずれを検出し、そのずれ分だけ検出タイミングクロックの位相をシフトさせている。
【０１１２】
情報マークの記録位置に情報を持たせる本参考例においても種々の変動要因により再生出力が変動する。零クロス点を求める上記方法では情報記録格子点を光スポットが通過するタイミングを正確にとらえる必要があるが、これはスポットの形状、基板の変形等により微妙に変化する。従って、あらかじめ、基準記録マーク６００をデータ記録領域中の情報記録格子点に記録した後、情報マークを記録し、情報マークのの再生時に複数のプリピットから生成した基準クロックと基準記録マーク６００の検出タイミングとのずれを検出して検出タイミングクロックの位相を補正している。従って、記録時に記録マークが線速度、記録パワー、磁界強度、媒体感度等によりシフトしたとしても、補正された検出タイミング信号により情報記録格子点の走査を示すタイミングを作成できる。従って、情報マークの中心位置の検出が正確にできる。なお、このような検出タイミングの補正自体は、特開昭６４−１１６７号公報あるいはこれに対応する米国特許出願０７／１６９,５９５および特開平１−１５５５３５号公報に詳しく述べられている。これらに記載の技術をここで参照により組み込む。
【０１１３】
差分回路７０５は、光ヘッド（図示せず）の再生光検出器（図示せず）により出力された情報再生信号（光磁気信号）の差分信号（図１５（ｃ）参照）を生成する。この差分信号は、走査中の情報マークの中心で零となる信号となる。零クロス検出回路７０４は差分信号の零クロス点を検出し、そのタイミングを示す信号を発生する。時間測定回路７０３は、零クロス検出回路７０４により発生されたこのタイミング信号と検出タイミング発生回路７０７から発生された検出タイミング信号との時間差を測定する。この時間差は走査された情報マークの記録位置のずれを表す。復号回路７０２では、この位置ずれに基づいて図１４に従って走査された情報マークの位置を復号する。
【０１１４】
図１４では、２ビットの情報に４つの位置ずれ量を対応させたものであるが、この対応関係はいろいろに変形できる。具体的な数値を検討して見る。マークピッチＭｐと等化残りの関係は、図４にすでに示されている。隣接マークが互いに最大位置ずれを起こし、最も近接した時の情報マークの間隔がスポット径Ｗｓの約６０％以上となるようにすれば、本参考例でも隣接トラックからのクロストークの影響を実質的に問題がない程度に減少できる。すなわち、本参考例でのマークピッチＭｐ’は、図４を用いて求めてマークピッチＭｐを用いて、以下の条件を満たせばよい。
【０１１５】
Ｍｐ’＞ Ｍｐ＋２ｎΔ
たとえば、図４の波長と対物レンズの開口数からスポット径は１.４μｍ程度、マークピッチＭｐが０．８８μｍであることから、Δを０.１μｍとするとＭｐ’を１．０８μｍ以上に設定すると−２０ｄＢ以下の等化残りにすることができ、高密度な記録再生が実現可能となる。この条件を満たすｎ個の位置ずれを用いると、ｌｏｇを用いると、１つの格子点あたりｌｏｇ（２ｎ）ビットの情報を与えることができる。ここで、ｌｏｇは底が２の対数である。ただし、図１７の回路から分かるように、本参考例では実施の形態１で使用した学習マーク、等化係数学習回路および２次元等化回路は使用しない。隣接するトラックからのクロストークによる、情報マークの再生信号のピーク位置の検出誤差は無視できる程度にトラック間隔およびマークピッチが大きくする。
【０１１６】
＜参考例の変形例＞
（１）情報マークの記録位置の別の検出方法としては、情報記録格子点を通過するタイミングで再生信号の差分または微分の値をサンプルホールドし、その絶対値と符号でもって、対応する情報マークの中心位置の情報記録格子点からのずれを検出する方法もある。
【０１１７】
（２）このような、光スポットが情報記録格子点を通過するタイミングで得られる再生信号の差分または微分の値を用いて情報マークの位置ずれを検出する方法に、前記基準記録マーク６００を利用することもできる。すなわち、記録された情報マークの大きさが記録時に変動すると再生信号の差分または微分出力の値の絶対値が変動する。この値を規格化するためにまず、基準記録マーク６００での再生信号の差分または微分出力の正と負のピーク値をサンプルホールドし、これらの値が一定値になるよう再生回路のゲインを制御する。これは、通常のオートゲインコントロール回路により実現できる。こうすると、情報マークの大きさが変動しても情報記録格子点を通過するタイミングでの再生信号の差分または微分出力の取りうる値は、情報マークの大きさによらず、情報マークの位置ずれのみに依存する値となる。従って、情報記録格子点を通過するタイミングでの情報マークのレベルを判定することにより情報マークの位置ずれを検出できる。
【０１１８】
＜発明の実施の形態４＞
本実施の形態では、さらに密度を向上させるために、一定形状の情報マークの記録位置を記録する情報に応じて情報記録格子点からずらせるという参考例で使用した多値の位相記録を行うとともに、記録される情報マークの光学的な性質を上記記録すべき情報に応じて変化させ、再生信号が多値のレベルとなるように多値レベルの信号を記録する。これにより、各情報記録用格子点により多くの情報を記録可能にする。このようにして記録された情報マークを再生するときに、その情報マークの再生信号から隣接トラックからのクロストーク成分を除去し、さらに残留する符号間干渉成分を除去した上で、この再生信号のレベルとこの再生信号のピーク位置を検出し、検出されたこれらの情報を復号して、その情報マークに記録された情報を再生する。
【０１１９】
さらに、本実施の形態では、多値レベルを記録できる媒体として、構造の簡単な媒体を使用する。従来、多値レベルの信号を表す情報マークを記録することにより、記録密度を向上しようとする試みはすでに提案されている。多値レベルの信号を記録できる媒体としては、特開昭６４−３２４４２号公報あるいは特開平３−５９３２号公報に開示されている媒体が知られている。この媒体は、各多値レベルに対応した数だけの記録層を独立して設け、各層の記録状態を制御して多値レベルを得るものである。具体的には、光磁気記録膜を多層に積層し、各層は磁気的に相互に独立し、多値レベルはそれぞれの層によって決まる信号レベルの和となる。従って例えば、４値を表すためには４層の記録膜を積層することになる。
【０１２０】
本実施の形態では、より少ない記録層を有する記録媒体を用いて多値情報を記録するために、磁気的に結合された多層の記録膜間を使用し、記録すべき多値情報に応じて、外部から印加する磁場と照射光パワーと照射タイミングを変化させる。このことにより、この記録すべき多値情報に応じた磁気的な結合関係と記録位置とを実現する。このために記録方式としてこれまで説明してきた光変調記録ではなく、磁界変調記録を用いる。
【０１２１】
この記録方式を使用する結果、記録された情報マークは図１８（ａ）に示すように、矢羽根型となる。本実施の形態では記録される情報マークの多値レベルは４値がとれ、それぞれのレベルを再生信号レベルの小さい方から順番に、“０”、“１”、“２”、“３”とする。情報マーク８５４、８５５、８５６、８５７、８５８は、それぞれレベル”３”を有し、同一格子点に対して異なる位置ずれでもって記録可能な５つの情報マークである。情報マーク群８８１はそれぞれレベル“１”を有し、同一格子点に対して異なる位置ずれでもって記録可能な５つの情報マークを示し、情報マーク群８８２はそれぞれレベル“２”を有し、同一格子点に対して異なる位置ずれでもって記録可能な５つの情報マークを示す。８８０は、異なるレベルを有し、同一格子点に対して位置ずれがない位置に記録可能な４つの情報マークを示す。同一格子点には一つのマークしか記録されないが、ここでは簡単化のために同一格子点に記録可能なマークが重畳して示されている。図１９は、記録すべき情報と記録される情報マークとの対応関係を示す。すなわち、ユーザデータを複数の４ビット部分に分割し、各４ビット部分の前２ビットと後２ビットの組み合わせに対して情報マークを記録する位置と情報記録格子点との間の位置ずれと、記録する情報マークに記録する信号のレベルを決める。この記録方式で記録される情報マークの再生信号の位置による変化を示すアイパターンは図２０に示す様になり、１６個の黒丸の点が４ビットのユーザデータが取り得る再生信号のピーク値を示す。
【０１２２】
（１）光磁気記録媒体
次に、多値レベルの信号を記録を可能とする光磁気記録媒体の特性につき説明する。図２１（ａ）は、このような記録媒体の概略的な構造を例示する。透明基板１０上に互いに積層された少なくとも２以上の記録層１４、１８を担持し、第１の記録層１４は、印加される外部磁界の少なくとも１以上の磁界領域において記録状態になり、第２の記録層１８は、上記磁界領域と異なる２以上の異なる磁界領域でそれぞれ互いに異なる記録状態になる光磁気記録膜で形成され、かつ、第２の記録膜の磁気気光学特性が第１の記録層と異なる光磁気記録膜で形成される。この様な媒体としては、本出願人の一方が先に出願した特願平６−９６６９０号、特願平６−１４３６３４号に記載したものがある。
【０１２３】
光は基板１０側から入射し、第１エンハンス膜１２から膜１６、２０および記録層１４、１８を通過し、反射膜２２により反射され、再び基板１０に戻ってくる。この間に第１、第２の記録層によって磁気的な特性の変化を受ける。これら第１エンハンス膜１２、第２エンハンス膜１６、第３エンハンス膜２０はそれぞれ基板１０と第１記録層１４の間、第１第２記録層１４、１８の間、および第２記録層１８と反射膜２２の間に配置され、各層間の化学的な干渉を防止する。例えば、各層からの成分が拡散しないように、また他の層から不要成分が混入しないようにする。そのために化学的に安定な材料を用いる。さらにこれらのエンハンス膜は基板１０からの光を透過し、反射層２２から戻ってくる光も通過させる光学的な透過特性を持つ必要がある。さらに、これらのエンハンス膜の膜厚を制御することにより多層構造の媒体から反射してくる光の量を増加（エンハンス）させる。この様なエンハンス層として例えば、ＳｉＯ２、ＳｉＮ等が用いられている。
【０１２４】
第２の記録層１８は、垂直磁化膜と、この垂直磁化膜と磁気的に結合され、かつこの垂直磁化膜よりも記録又は消去用のレーザビーム照射時に磁化が外部磁界の方向に回転しやすい磁性材料からなる補助磁性膜とから構成される。この場合、この垂直磁化膜は、希土類と遷移金属との非晶質合金であって、希土類原子の副格子磁気モーメントが遷移金属原子の副格子磁気モーメントよりも室温からキュリー温度にかけて優勢なフェリ磁性体から構成でき、この補助磁性膜は、遷移金属、遷移金属と貴金属との合金、酸素及び窒素のうちの少なくともいずれか一方を含有する希土類と遷移金属との合金、及び前記垂直磁化膜よりも垂直磁気異方性エネルギが小さな希土類と遷移金属との合金から選択されるいずれかの磁性材料から構成できる。このような光磁気記録媒体を用いた場合、各記録層の各記録状態に対応する４段階の異なる外部磁界を印加することによって、信号の４値記録が可能になる。
【０１２５】
具体例には、基板１０は、ガラスまたはポリカーボネートからなる透明な基板である。第１エンハンス膜１２は、１００ｎｍ厚のＳｉＮ膜からなり、第１記録層は、１５ｎｍ厚のＴｂ１９Ｆｅ６２Ｃｏ１０Ｃｒ９膜からなる。第２エンハンス膜１６は、１０ｎｍ厚のＳｉＮ膜からなる。第２記録層１８は、第２エンハンス膜１６上に積層された、２０ｎｍ厚のＴｂ３２Ｆｅ５６Ｃｏ１２からなる垂直磁化膜と、その上に更に積層された、５ｎｍ厚のＰｔ８０Ｃｏ２０からなる補助磁性膜からなる。第３エンハンス膜２０は、１０ｎｍ厚のＳｉＮ膜からなり、反射膜２２は、７０ｎｍ厚のＡｌ膜からなる。保護膜２４は、ＵＶレジンからなる。
【０１２６】
このような光磁気記録媒体に対して多値の情報を記するには、この光磁気記録媒体に対して光学ヘッド（図示せず）及び磁気ヘッド（図示せず）を相対的に駆動し、この光学ヘッドより光磁気記録媒体の記録トラックに沿ってレーザビームを照射しつつ、レーザビームが照射されている部分に、記録すべき情報に応じて多段階に磁界強度が変調された外部磁界を磁気ヘッドより印加する。この結果、第１、第２の記録層１４、１８に対して４値以上の多値レベルを有する情報マークを記録できる。この場合、レーザビームは、一定強度のレーザビームを連続的に照射することもできるし、周期的又はパルス状に照射することもできる。
【０１２７】
また、この光磁気記録媒体に対して光学ヘッド及び磁気ヘッドを相対的に駆動し、前記磁気ヘッドより光磁気記録媒体に外部磁界を印加しつつ、前記光磁気記録媒体の記録トラックに沿って、前記光学ヘッドより記録信号に応じて多段階にレーザ強度が信号変調されたレーザビームを照射することによっても、２層の記録層に対して４値以上の多値記録を行うことができる。
【０１２８】
以下に、このような記録媒体に対する多値記録の原理を詳細に説明する。垂直磁化膜１８Ａと所定の補助磁性膜１８Ｂとを積層してなる第２の記録層１８は、補助磁性層１８Ｂの作用によって垂直磁化膜１８Ａ中の遷移金属の副格子磁気モーメントが容易に交換結合磁界方向に反転するので、記録層１８全体の磁化の向きを外部磁界方向又はそれと反対の方向に向けることができる。一方、補助磁性層を有さず、前記第１の記録層１８とは異なる磁界領域に１つの記録状態が存在する第１の記録層１４は、昇温状態で外部磁界の向きに容易に記録層１４全体の磁化の向きが反転する。
【０１２９】
したがって、例えば図２１（ａ）に示すように、室温からキュリー温度にかけて希土類原子の副格子磁気モーメントが遷移金属原子の副格子磁気モーメントよりも優勢なフェリ磁性体からなる第１記録層１４と、室温からキュリー温度にかけて遷移金属原子の副格子磁気モーメントが希土類原子の副格子磁気モーメントよりも優勢なフェリ磁性体からなる第２記録層とを積層し、下向きの外部磁界を記録方向の外部磁界、上向きの外部磁界を消去方向の外部磁界として信号の記録を行う。
【０１３０】
各記録層の全体の磁気モーメントはその記録層を構成する希土類元素の磁気モーメントと遷移金属原子の磁気モーメントの合成で決まる。図２１（ｂ）では上部に第２記録層１８の各外部磁場に対する各原子の磁気モーメントを白矢印と黒矢印で示した。下部には第１記録層１４の各外部磁場に対する各原子の磁気モーメントを同様の矢印を用いて示した。
【０１３１】
第２の記録層に記録再生を行った結果を図２２に示す。レーザをクロックに従って一定周期に照射し、これに同期して記録磁界を０との間で変化させる。記録磁界の繰り返し周波数に対応した、再生信号成分を検出し、雑音とともに示した。このことから、１つの記録層でも希土類元素の磁気モーメントと遷移金属の磁気モーメントの組み合わせにより外部磁場の２つの異なる磁界領域に記録状態を作ることができる。さらに、このような第２の記録層に第１の記録層１４を組み合わせると、これらの組み合わせ物は以下のように動作する。
【０１３２】
(i) 第１記録層１４の全体の磁化の向きを消去方向に向けられる大きさの外部磁界Ｈ０（図２２に示す領域（１）の外部磁界）を消去方向に印加することによって、第１記録層１４の遷移金属原子の副格子磁気モーメントを記録方向に、第２記録層１８の遷移金属原子の副格子磁気モーメントを消去方向に向けることができる。
【０１３３】
(ii)第１記録層１４の全体の磁化の向きを記録方向に向けられる大きさの外部磁界Ｈ１（図２２に示す領域（２）の外部磁界）を消去方向に印加することによって、第１記録層１４及び第２記録層１８の遷移金属原子の副格子磁気モーメントを共に消去方向に向けることができる。
【０１３４】
(iii) 第１記録層１４の全体の磁化の向きを消去方向に向けられる大きさの外部磁界Ｈ２（図２２に示す領域（３）の外部磁界）を記録方向に印加することによって、第１記録層１４及び第２記録層１８の遷移金属原子の副格子磁気モーメントを共に記録方向に向けることができる。
【０１３５】
(iv)第１記録層１４の全体の磁化の向きを記録方向に向けられる大きさの外部磁界Ｈ３（図２２に示す領域（４）の外部磁界）を記録方向に印加することによって、第１記録層１４の遷移金属原子の副格子磁気モーメントを消去方向に、第２記録層１８の遷移金属原子の副格子磁気モーメントを記録方向に向けることができる。
【０１３６】
光磁気記録媒体より信号として検出されるカー回転角の変化の大きさは、第１記録層１４及び第２記録層１８の各遷移金属原子の副格子磁気モーメントの合計に比例するから、図２３に示すように、Ｈ０、Ｈ１、Ｈ２、Ｈ３の外部磁界が順次印加された記録トラックからは、外部磁界の大きさにより異なる４つの値を取る出力が得られる。図２１（ｃ）はこの外部磁界の大きさと相対信号出力との関係を模式的に示す。したがって、例えば同図に示すように、外部磁界Ｈ１による記録状態を“０”、外部磁界Ｈ０による記録状態を“１”、外部磁界Ｈ３による記録状態を“２”、外部磁界Ｈ２による記録状態を“３”にそれぞれ位置付けることによって、４値の信号を記録できる。
【０１３７】
（２）多値情報の記録
次に、本実施の形態における光磁気記録媒体を用いた信号の多値記録方法について説明する。本実施の形態では、前述した光磁気記録媒体を用いて多値レベルの信号を記録するために、記録する情報に応じて外部磁界を４段階に変調し、それにより多値レベルの信号を記録すると共に、レーザビーム照射タイミングを記録する情報に応じて変えることにより参考例と同様に多値の位相記録を実行する。
【０１３８】
まず、光磁気記録媒体をターンテーブル等の媒体駆動部に装着し、透明基板側に光学ヘッドを、保護膜側に磁気ヘッドを配置する（図示せず）。媒体駆動部を起動して光磁気記録媒体と光学ヘッド及び磁気ヘッドとを相対的に所定の線速度で駆動し、光学ヘッド及び磁気ヘッドを所定のトラックに位置付ける。
【０１３９】
本実施の形態では、この記録媒体には、参考例で使用した基準記録マーク６００（図１５）と同じく、情報記録格子点の位置を示すための基準記録マーク８００があらかじめ記録されている。図１８参照。なお、この記録媒体には、図１８には記載していないが、参考例と同様に、各トラックの先頭部分に一定間隔を有する複数のプリピット（図示せず）があらかじめ記録され、各トラックの各セクタの先頭部分に、実施の形態１で使用した図２に示すウオブリングルマーク１５１−１５３があらかじめ記録されているものと仮定する。更に、本実施の形態では、参考例と異なり、実施の形態１で使用した学習マーク１５４、１５５も各セクタの等化係数学習領域にあらかじめ記録されているものとする。本実施の形態でも、実施の形態１、４と同様に情報記録格子点は面心長方格子を形成している。
【０１４０】
以下では、ユーザデータの記録動作を回路図２４、２５とタイムチャート図２６、２７を用いて詳細に説明する。プリピット検出回路７１６は、光ヘッド（図示せず）の総光量検出器（図示せず）から与えられる総光量信号を使用して、ディスク面上の情報を記録すべきトラックの先頭部に設けられた一定間隔を有する複数のプリピット（図示せず）を検出し、これらに同期した周期と位相を有する基準クロック９００を発生する。記録タイミング発生回路７１７は、基準クロック９００を２分周したクロック９３４を発生するとともに、複数の情報記録用格子点のそれぞれの走査タイミングを示すクロック９１０と、それぞれ隣接する二つの情報記録用格子点の間に位置する情報を記録しない中間の格子点のそれぞれの走査タイミングを示すクロック９３２を生成する。
【０１４１】
多値符号化回路７０９は基準クロック９００に同期して動作するもので、記録すべき時系列のユーザデータ信号９０１を複数の４ビット部分に区分し、各４ビット部分の前２ビットからなるデータと後２ビットからなるデータとを分離し、それらから図１９に示した関係で磁界の値と位置ずれ量が制御するための、磁界制御用２ビットデータ９３０と位置制御用２ビットデータ９２０を生成し、それぞれ多値レベル発生回路７１０と位相シフト回路７１１に供給する。この実施の形態ではユーザデータの各４ビット部分の前２ビット“００”、“１０”、“１１”がそれぞれ多値レベル“１”、“３”、“２”にそれぞれ対応している。この前２ビットがこれらの値を有するときに、ユーザデータの各４ビット部分の後２ビット“００”、”０１”、“１０”、“１１”がそれぞれ位置ずれ“−２△”、“−△”、“＋△”、”＋２△”にそれぞれ対応している。しかし、この前２ビット”０１”は位置ずれ”０”に対応し、この場合には、ユーザデータの各４ビット部分の後２ビット“００”、”０１”、“１０”、“１１”がそれぞれ多値レベル“１”、”０”、“３”、“２”に対応している。従って、多値符号化回路７０９は、ユーザデータの各４ビット部分の前２ビットが”０１”でない場合には、その前２ビットの値に依存し、かつ、図１９に従い多値レベルを表す磁界制御用２ビットデータを出力し、その４ビット部分の後２ビットに依存し、かつ、図１９に従い位置ずれ量を表す位置制御用２ビットデータ９２０を出力する。しかし、その前２ビットが、”０１”の場合には、その４ビット部分の後２ビットの値に依存して図１９に従い多値レベルを表す磁界制御用２ビットデータ９３０を生成し、位置ずれ”０”を表す位置制御用２ビットデータ９２０を出力する。
【０１４２】
多値レベル発生回路７１０では、図２５に示すように、偶数ビット奇数ビット分離回路９５０が、多値符号化回路７０９から与えられた、ユーザデータの各４ビット部分に対する磁界制御用２ビットデータ９３０の内の最初のビット（以下ではこれを偶数ビットと呼ぶ）９０３と当該磁界制御用２ビットデータ９３０内の次のビット（以下ではこれを奇数ビットと呼ぶ）９０２に分ける。具体的には、この回路９５０は、クロック９３４の反転信号と磁界制御用２ビットデータ信号９３０の論理積をとり、奇数ビット信号９０２を作成する回路を有する。また、クロック９３４と磁界制御用２ビットデータ９３０の論理積をとって偶数ビット信号９０３を作成する回路を有する。タイミングシフト回路９５１は、クロック９３４の１周期分遅延するようにこの偶数ビット信号９０３をシフトした信号９０４を生成する。パルス長２倍化回路９５２、９５４は、それぞれこのシフト後の信号９０４と奇数ビット信号９０２のそれぞれのパルス長さを信号９３４の１周期分だけ伸ばし、それぞれ信号９０５、９０６を発生する。インバータ回路９５６により信号９０６の反転信号９３１を作成する。
【０１４３】
その後、増幅器９５３、９５７により、それぞれ信号９０５、９３１をＧ’倍、Ｇ倍した振幅を有する信号を生成する。ここで、Ｇ’とＧの関係はＧ’＝−２×Ｇとする。これらの増幅器で生成された二つの信号を加算器９５８加算して多値レベルの電圧を生成する。その後、この電圧を磁気ヘッド駆動回路７１３で電圧電流変換することによって、磁気ヘッド（図示せず）により図２７に示す外部磁界を生成し、記録媒体に印加する。本実施の形態では一対の情報記録格子点の間に位置する中間の格子点では必ずレベル“０”に対する磁化領域を生成する。このためには、この加算器９５８には、情報マークを記録しない中間の格子点では、再生レベル”０”に対応する前述の磁界Ｈ１を作り出すように加算器９５８の出力９１６をシフトするためのオフセット分Ｖ０をさらに加算する。この加算器９５８の出力９１６はユーザデータの各４ビット部分から生成された磁界制御用２ビットデータに対応する４つのレベル”０”、”１”、”２”または”３”の一つを有することになる。
【０１４４】
図２４において、切り替え回路７１２は、クロック９３４がローの時に信号９１６を選択し、クロック９３４がハイのときオフセットＶ０を選択するように、信号９１６と上記オフセットＶ０をクロック９３４に同期して交互に選択する。この切り替え回路７１２の出力９１７を磁気ヘッド駆動回路７１３に入力し、この回路の出力により磁気ヘッド（図示せず）に外部磁界を発生させる。この結果、情報記録格子点には、加算器９５８の出力９１６のレベル”０”、”１”、”２”または”３”に対応する磁化状態を生成するための磁界Ｈ１、Ｈ０、Ｈ３またはＨ４が発生され、情報マークを記録しない格子点に対しては再生レベル”０”に対応する磁化状態を生成するための磁界Ｈ１が発生される。
【０１４５】
一方、図２４において、位相シフト回路７１１は、多値符号化回路７０９で生成された、ユーザデータ９０１内の各４ビット部分から生成された位置制御用２ビットデータ９２０に従って、情報記録格子点の走査タイミングを示すクロック９１０の位相をシフトする。光パルス発生回路７１４は、このシフト後のクロック信号を論理和回路７３０を介して受け取り、シフト後のクロックに同期して、レーザ光の照射タイミングを制御する。こうして、外部磁界が所定の値に切り替わった後、光学ヘッドにより図２７の信号９３３により示すタイミングで光パルスが照射され、記録媒体の各記録層の光パルスが照射された部分が外部磁界によって磁化反転できる温度まで加熱される。これによって、各記録層の光パルスが照射された部分に、外部磁界の大きさに応じて図２７に示す磁化ドメインが形成される。このように、多値レベル発生回路７１０と磁気ヘッド駆動回路７１３の働きにより発生された多値の磁界と位相シフト発生回路７１１により発生された多値の位相に従って、ユーザデータの各４ビット部分に依存する磁化状態が情報記録格子点に形成される。情報を記録しない格子点に関しては、光パルス発生回路７１４が、記録タイミング発生回路７１７から論理和回路７３０を介して与えられるクロック９３２に応答して、この格子点を走査するタイミングで光パルスを発生する。従って、切り替え回路７１２と磁気ヘッド駆動回路７１３の働きで発生された一定磁界Ｈ１とこの光パルスにより、情報記録をしない格子点に一定の磁化状態が生成される。
【０１４６】
（３）情報マークの再生
こうして記録された情報マークの再生には、たとえば、図２８の再生回路を使用する。プリピット検出回路７０８は、光ヘッド（図示せず）内の総光量検出器（図示せず）からの総光量信号を利用して、再生中のトラックの先頭部分にあらかじめ形成された複数のプリピットを検出し、これらに同期した周期と位相を有する基準クロックを生成する。基準記録マーク検出回路７０６は、この光ヘッドが各セクタを走査しているときにその光ヘッド内の再生光検出器（図示せず）から出力される再生信号（光磁気信号）から、基準記録マーク８００（図１８）を検出し、この情報マークの中心点が走査されたタイミングを示す信号を出力する。
【０１４７】
検出タイミング発生回路７０７は、プリピット検出回路７０８により生成された基準クロックを基準記録マーク検出回路で検出された基準記録マーク８００の走査タイミングに応じて位相をシフトし、シフト後の基準クロックから、データ記録領域内の各情報記録格子点を走査するタイミングを示す信号７０７Ａとそのデータ記録領域内の隣接する一対の情報記録格子点の中間にそれぞれ位置する情報を記録しない格子点の走査タイミングを示すクロック７０７Ｂとを生成する。
【０１４８】
差分回路７０５は、光ヘッドにより検出された光磁気信号の差分信号を生成し、零クロス検出回路７０４によりこの差分信号の零クロスのタイミングを検出し、零クロスタイミング信号７０４Ａを出力する。タイミング時間測定回路７０３は、零クロスタイミング信号７０４Ａが示す零クロスタイミングと、検出タイミング発生回路７０７から与えられた、情報記録格子点の走査タイミングとの間の時間的なずれを検出し、検出された時間的なずれに対応する位置ずれを表すディジタルデータを出力する。
【０１４９】
なお、図１８（ｂ）において、８５４’、８５５’、８５６’、８５７’、８５８’は、情報マーク８５４、８５５、８５６、８５７、８５８に対して検出された光磁気信号の波形を示す。図１８（ｃ）において、８１０、８１１、８１３、８１４は、再生信号８５４’、８５５’、８５７’、８５８’に対する差分信号の零クロス点を示す。図２７には、具体的なユーザデータに対して生成された磁区形状に対する再生波形も示す。なお、以上に説明した回路の動作は、参考例における同じ名称の回路と基本的には同じである。
【０１５０】
スライスレベル発生回路７２０は、基準記録マーク検出回路７０６からの、基準記録マーク８００を検出したことを示すタイミング信号に応答して、基準記録マーク８００に対する光磁気信号のピーク値を取り込み、任意の情報記録マークに対する再生信号のレベルを判定するためのスライスレベルとして、図２７に示したスライスレベルＬ１，Ｌ２，Ｌ３を決定する。これらのスライスレベルの決定のためには、上記基準記録マーク８００として、最大の再生信号を与えるための基準記録マークを記録し、そのマークの後に最小の再生信号を与えるための他の基準記録マークを記録し、上記スライスレベル発生回路７２０は、基準記録マーク検出回路７０６からの、基準記録マーク８００を検出したことを示す上記タイミング信号に応答して、それらの二つの基準記録マークに対する再生信号のピークを取り込み、これらのピーク値に基づいて、上記スライスレベル１、２、３を決定する。なお、図１８にはここで記載した他の基準記録マークは簡単化のために示していない。
【０１５１】
サンプルホールド回路７００は、論理和回路７３４を介して零クロス検出回路７０４から与えられる零クロスタイミング信号７０４Ａと、検出タイミング発生回路７０７から与えられる、情報記録格子点の間の中間格子点の走査タイミングを示すタイミング信号７０７Ｂの各々に応答して、それぞれのタイミング信号が示すタイミングで、光磁気信号をサンプルホールドする。２次元等化回路７３２は、実施の形態１で使用された同一の名称の回路と実質的に同じものであり、走査中のトラックの各情報記録格子点に対する再生信号（光磁気信号）に対する隣接する二つのトラックからのクロストーク成分を、その情報記録格子点の直前と直後に位置する一対の中間の格子点に対する一対の再生信号を利用して除去し、さらに、クロストークを除去した後の再生信号に残る、符号間干渉成分を、その情報記録格子点の前に位置する少なくとも一つの情報記録格子点に対する再生信号と、その情報記録格子点の後に位置する少なくとも一つの情報記録格子点に対する再生信号とにより除去する。
【０１５２】
等化係数学習回路７３１は、実施の形態１で使用した同一の名称の回路と実質的に同じ働きをする回路であり、２次元等化回路７３２で使用される等化係数を、光ヘッドにより走査中のセクタに記録された学習マーク（図示せず）に対する再生信号を利用して算出する。本実施の形態では、等化係数を学習するための学習マークも磁界変調で記録され、矢羽根型形状を有することになる。しかし、このような形状の学習マークを用いても、等化係数の学習は実施の形態１と全く同様に行うことができる。ただし、このときの学習マークとして記録する情報のレベルをデータ領域に記録する情報マークが有する４つのレベルの一つに一致させることが望ましい。とくに、この一つのレベルは最大レベルであることが望ましい。本実施の形態では、実施の形態１と異なり、学習マークは情報記録格子点とは少しずれた位置に記録される。このずれ量は、図１９で与えられる、データ記録領域に記録される情報マークが取りうる４つの位置ずれの一つと一致させる。たとえば、このずれ量は＋△あるいは−△に一致させる。
【０１５３】
このような位置ずれを有する学習マークを読み出すためのタイミングは、零クロス検出回路７０４から与えられる零クロスタイミング信号７０４Ａにより等化係数学習回路７３１に指示される。なお、等化係数学習回路７３１は、学習マークの前後に位置する中間点における再生信号を使用する必要がある。この中間点における再生信号を読み出すタイミングは、検出タイミング発生回路７０７により与えられるクロック信号７０７Ｂにより指示される。データ記録領域に記録される情報マークの、直近の情報記録格子点とのずれ量は、図１９に示されたように、＋２△、＋△、−△、−２△のいずれかであり、学習マークが記録されている位置と、直近の情報記録格子点との間の位置ずれとは異なりうるが、基準のずれ量△自体が、格子点間隔およびトラック間隔に比べて十分小さいので、以上のようにして学習された等化係数は、データ領域に記録される、いろいろの位置ずれを有する情報マークに対してそのまま利用しても、クロストーク成分は実施の形態１と同様に除去できる。
【０１５４】
このような、等化係数学習回路７３１、２次元等化回路７３２の働きにより、この２次元等化回路７３２ からは、各情報記録格子点に対する再生信号のピーク値に対して、隣接する一対のトラックからのクロストーク成分を除去したピーク値を示す信号が出力され、量子化回路７０１は、この出力されたピーク値を、スライスレベル発生回路７２０により生成されたスライスレベルＬ１、Ｌ２、Ｌ３により量子化し、情報記録格子点に記録された情報マークに対するレベルを表すデイジタル信号を出力する。なお、スライスレベル発生回路７２０は基準記録マーク８００に対する再生信号からスライスレベルを決めるが、このマークの近傍には、このマークに対してクロストークを生じるようなマークは存在しないと仮定している。従って、このスライスレベル発生回路７２０に供給される再生信号に対しては、上に述べた２次元等化回路を使用しない。等化係数学習回路７３１が使用する学習マークに対する再生信号に対しても同様である。
【０１５５】
多値復号回路７０２は、各情報記録格子点に対して時間測定回路７０３により出力された位置ずれデータを表すディジタルデータとその情報記録格子点に対して量子化回路により出力された多値レベルを表すディジタルデータから、図１９に従い、その情報記録格子点に記録された情報マークが表す４ビットデータの前２ビットと後２ビットを複号する。
【０１５６】
以上のごとく、本実施の形態では、各情報記録格子点に多値レベルを表す情報マークを異なる位置ずれでもって記録することができるので、一つの情報記録格子点に記録できる情報量が増大する。
【０１５７】
＜発明の実施の形態４の変形例＞
（１）光磁気記録媒体として、他の媒体を使用して多値レベルを記録することもできる。たとえば、異なる二つの磁界領域に属する外部磁界が印加されたときにそれぞれ２つの互いに異なる記録状態（磁化状態）になる第１の記録層と、これらの二つの磁界領域と異なる二つの磁界領域に対して互いに異なる二つの記録状態になる第２の記録層であって、第１の記録層とは磁気光学特性が異なる材料からなるものとを積層した光磁気記録媒体を用いることもできる。この場合には、第２の記録層は実施の形態４に記載した垂直磁化膜と補助磁性膜にて構成される必要はなく、単一の磁性膜でよいが、第２の記録層は、第１の記録層が記録状態になる二つの磁界領域とは異なる二つの磁界領域において２つの異なる記録状態になることが必要である。この様な媒体の具体例は、本出願人の一方が先に出願した特願平６−９６６９０号、特願平６−１４３６３４号に記載されている。これらに記載された技術を参照によりここに組み込む。
【０１５８】
このような媒体に対しても実施の形態４の媒体に対して先に説明した図２１（ｂ）、図２１（ｃ）、図２２、図２３の説明はあてはまる。例えば、図２３に１点鎖線で示される特性を有する第１記録層と、同図に破線で示される特性を有する第２記録層とを積層した場合、図２３に示すＨ０、Ｈ１、Ｈ２、Ｈ３の各外部磁界を印加することによって、それぞれ図２３に示される４つの記録状態“０”、“１”、“２”、“３”を現出することができる。したがって、例えばこれらの図に示すように、外部磁界Ｈ０による記録状態を“０”、外部磁界Ｈ１による記録状態を“１”、外部磁界Ｈ２による記録状態を“２”、外部磁界Ｈ３による記録状態を“３”にそれぞれ位置付けることによって、±１００（Ｏｅ）程度の外部磁界で信号の４値記録ができる。
【０１５９】
（２）実施の形態４に記載の材料および上記変形例１に記載の材料に対して、図２９に示すように、外部磁界に直流バイアス磁界を印加して外部磁界の中心磁界を−５０（Ｏｅ）程度マイナス側にシフトさせれば、±５０（Ｏｅ）程度の小さな外部磁界で３値信号の記録も可能になる。
【０１６０】
（３）図２４に示した記録回路は、たとえば、以下のように変形することも可能である。多値レベル発生回路７１０を、図２５に示した加算器９５８を使用しないで、増幅器９５３、９５７の出力をそれぞれ別々に出力するように構成し、図２４に示した記録回路内に、磁気ヘッド駆動回路７１３の他に第２の磁気ヘッド駆動回路を設け、これら二つの磁気ヘッド駆動回路により上記二つの増幅器の出力信号を別々に電圧電流変換させる。ターン数が異なる２本の巻線をもった一つの磁気ヘッドをこれらの磁気ヘッド駆動回路により駆動する。
【０１６１】
（４）磁気ヘッドに代えて、例えば電磁コイルなどの他の磁界発生装置を用いることも勿論可能である。
【０１６２】
（５）実施の形態４で説明したように、同一セクタ内に二つの基準記録マークを設ける方法に代えて、各セクタに一つの基準記録マークを記録し、隣接する二つのセクタに記録された二つの基準記録マークを利用して上記３つのスライスレベルを決定することもできる。
【０１６３】
＜発明の実施の形態５＞
参考例では、情報マークを記録する位置と情報記録用格子点との間の位置ずれを、記録すべき情報に応じて変化させるという多値位相記録を行った。実施の形態４では、各情報記録用格子点に、記録すべき情報に依存したレベルを有する、多値レベルを取りうる信号を表す情報マークを記録するように多値記録を行うとともに、参考例と同様の多値位相記録を行った。本実施の形態では、実施の形態４の多値レベル記録を行うが、多値位相記録を行わない。すなわち、各情報記録格子点に記録する情報マークを記録すべき情報に応じて変化させるが、情報マークの記録位置は、情報記録用格子点からはずらさない。このためには、実施の形態４と異なり、ユーザデータを複数の２ビット部分に区分し、この２ビット部分の値に応じて印可する磁界の強度を変えるようにする。すなわち、図１９において、後２ビットが”０１”あるいは”１１”のときの前２ビットと多値レベルの関係を使用する。本実施の形態でも、隣接する一つのトラックからの、その情報マークへのクロストーク成分を除去するのに、実施の形態４に記載したのと同じ２次元等化回路および等化係数学習回路を使用する。
【０１６４】
以上、本発明の好適な実施の形態について説明したが、本発明はこれらの実施の形態に限定されることなく、本発明の精神を逸脱しない範囲内において種々の設計変更をなし得ることは勿論である。
【０１６５】
【発明の効果】
本発明によれば、再生時には１ビーム光学系を用いてトラックを走査し、この再生信号を簡単な装置で実行できる信号処理により、隣接するトラックからのクロストーク成分を低減できる。
【０１６６】
さらに、本発明の望ましい態様では、このクロストーク成分を低減された再生信号からさらに符号間干渉成分を削減できる。
【０１６７】
さらに、本願の他の望ましい態様によれば、多値の情報を表す情報マークを再生するときにも、上記クロストーク成分あるいは符号間干渉成分を削減した上で、情報マークが表す多値の情報を再生するので、多値の情報を精度よく再生できる。
【図面の簡単な説明】
【図１】本発明に係る光学的情報記録再生装置の概略構成図。
【図２】図１の装置に使用される光学的情報記録媒体上の記録情報を示す図。
【図３】図１の装置における漏れ込み量を説明するための図。
【図４】図１の装置におけるマークピッチと等化残りの関係のシミュレーション結果を示す図。
【図５】（ａ）は図１の装置に使用されるデータ制御回路（１１６）の概略構成を示す図。（ｂ）は、図５（ａ）の回路で使用される複数のクロック信号のタイムチャート。
【図６】図１の装置に使用される前処理回路（１１２）の概略構成図。
【図７】図１の装置に使用される等化係数学習回路（１２１）の概略構成図。
【図８】図７の回路に使用される等化係数算出回路（２０６）の概略構成図。
【図９】（ａ）は図８の回路に使用される漏れ込み量検出回路（２４１）の概略構成図。
（ｂ）は、図８の回路および図７の回路に含まれた漏れ込み量検出回路（２４２）で使用される複数の信号のタイムチャート。
【図１０】図１の装置に使用される２次元等価回路（１１４）の概略構成図。
【図１１】（ａ）は、本発明に係る他の光学的情報記録再生装置で用いる光学的情報記録媒体に記録される異なる種別のトラックを示す図。
（ｂ）は、図１１（ａ）の光学的情報記録媒体に記録される情報を示す図。
【図１２】図１の装置で光学的情報記録媒体としてＲＯＭ媒体を使用した場合の、マーク径と変調度の関係のシミュレーション結果を示す図。
【図１３】本発明に係る光学的情報記録再生方法の参考例で使用するデータ記憶領域に記録された複数の情報マークの記録位置を説明する図である。
【図１４】図１３に示された情報マークに関連して、記録されるべき情報とその情報に対する情報マークの記録位置との関係を示す図。
【図１５】（ａ）は、いろいろの情報記録用格子点に記録可能な複数の情報マークを重畳して示す図。
（ｂ）は、図１５（ａ）の一つの情報記録用格子点に記録可能な複数の情報マークに対する再生信号の波形を示す図。
（ｃ）は、図１５（ｂ）に示された複数の再生信号を差分して得られる信号を示す図。
【図１６】図１３に示された複数の情報マークを記録するための回路の概略ブロック図。
【図１７】図１３に示された複数の情報マークを再生するための回路の概略ブロック図。
【図１８】（ａ）は、本発明に係る他の光学的情報記録再生方法により記録される複数の情報マークを説明するための図。
（ｂ）は、図１８（ａ）の一つの情報記録用格子点に記録可能な複数の情報マークに対する再生信号の波形を示す図。
（ｃ）は、図１８（ｂ）に示された複数の再生信号を差分して得られる信号を示す図。
【図１９】図１８に示された情報マークに関連して、記録されるべき情報と情報マークに記録されるべき信号の多値レベルと情報マークの記録位置との関係を示す図。
【図２０】図１９に示された関係でもって記録される情報マークに対するアイパターンを示す図。
【図２１】（ａ）図１８で示された情報マークの記録に使用する多値記録媒体の概略的な構造を示す図。
（ｂ）図２１（ａ）で示された多値記録媒体内の二つの記録層に形成される磁化領域が有する磁気モーメントと磁界との関係を示す図。
（ｃ）図２１（ａ）で示された多値記録媒体に対して印加された外部磁界と記録された情報に対する再生信号のレベルを示す図。
【図２２】図２１（ａ）に示された多値記録媒体に直流バイアスを有しない外部磁場を印加したときにこの記録媒体内の第１、第２の記録層から再生される信号のレベルと外部磁界との関係を示す図。
【図２３】図２１（ａ）示された多値記録媒体に印加する外部磁場と、この記録媒体内の第１、第２の記録層からの再生信号との関係を示す図。
【図２４】図２１（ａ）に示した多値記録媒体に対する情報記録回路の概略ブロック図。
【図２５】図２４の回路内の多値レベル発生回路（７１０）の概略ブロック図。
【図２６】図２４の回路で使用されるいくつかの信号のタイミングチャート。
【図２７】図２４の回路で使用される他のいくつかの信号のタイミングチャート。
【図２８】図２１（ａ）に示した多値記録媒体に対する情報再生回路の概略ブロック図。
【図２９】図２１（ａ）に示された多値記録媒体に直流バイアスを有する外部磁場を印加したときにこの記録媒体内の第１、第２の記録層から再生される信号のレベルと外部磁界との関係を示す図。
【符号の説明】
１０３…総光量信号、１０４…光磁気信号、１０６…クロック信号、１０７…クロックマーク用サンプルホールド信号、１０８，１０９…ウォブルマーク用サンプルホールド信号、１１１…アクチュエータ制御信号、１１３…ディジタル差分信号、１１５…等化後信号、１１７…ユーザデータ、１１８…変調データ、１２０…記録パルス、１２２…学習マーク記録信号、１５０…情報記録用格子点、１５１，１５２…ウォブルマーク、１５３…クロックマーク、１５４，１５５…等化係数学習用マーク、１５６…トラック、１５７…情報マーク、２０２…トラック識別結果信号、２２２…サンプルレベル、３２１…クロストーク削減信号、５０１ａ〜５０１ｃ…等化係数学習トラック、５０２ａ〜５０２ｃ…データ記憶領域、５５０…学習実行信号、６００…基準記録マーク、６１０〜６１４、８１０〜８１４…零クロス点。
【図１】
0003698790.tif 000012
【図２】
0003698790.tif 000013
【図３】
0003698790.tif 000014
【図４】
0003698790.tif 000015
【図５】
0003698790.tif 000016
【図６】
0003698790.tif 000017
【図７】
0003698790.tif 000018
【図８】
0003698790.tif 000019
【図９】
0003698790.tif 000020
【図１０】
0003698790.tif 000021
【図１１】
0003698790.tif 000022
【図１２】
0003698790.tif 000023
【図１３】
0003698790.tif 000024
【図１４】
0003698790.tif 000025
【図１５】
0003698790.tif 000026
【図１６】
0003698790.tif 000027
【図１７】
0003698790.tif 000028
【図１８】
0003698790.tif 000029
【図１９】
0003698790.tif 000030
【図２０】
0003698790.tif 000031
【図２１】
0003698790.tif 000032
【図２２】
0003698790.tif 000033
【図２３】
0003698790.tif 000034
【図２４】
0003698790.tif 000035
【図２５】
0003698790.tif 000036
【図２６】
0003698790.tif 000037
【図２７】
0003698790.tif 000038
【図２８】
0003698790.tif 000039
【図２９】
0003698790.tif 000040